(57)【要約】【課題】コンタクトの摩耗及び破損を防止する。【解決手段】ガイドコネクタ３のコンタクト挿入孔３Ａ及び基板１１０を貫通したコンタクト１２０を雌ハウジング１０内に挿入し、コンタクト１２０と雌コンタクト２０とが電気的に接続された状態において、スライダー１を押し下げると、押しピン５が第１可動体５０及び第２可動体６０を押圧する。これにより、第１可動体５０の下段５０Ｌ及び第２可動体６０の下段６０Ｌが規制梁８４,８５に接触しなくなる。その結果、バネ１４２が伸長し、第１可動体５０及び第２可動体６０がコンタクト１２０から遠ざかる。【選択図】図８
2014207147.tif 000002
【特許請求の範囲】
【請求項１】
基板を挟んで互いに反対側に配置される第１コネクタ及び第２コネクタと、押圧部材とを備えたコネクタにおいて、
前記第１コネクタは、
前記基板と直交する方向に延びる第１コンタクトを挟んで互いに反対側に配置される第１及び第２可動体を収容する第１ハウジングと、
前記第１及び第２可動体に対して互いに離隔する方向に付勢力を与えることが可能な付勢部材とを有し、
前記第１ハウジングに収容された前記第１及び第２可動体は、前記付勢部材から付勢力が与えられ且つ前記第１ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能であり、
前記第１及び第２可動体は、前記近接状態において、前記第１コンタクトの径以上の最小径を有しており、前記基板に近づくに連れて径が小さくなった領域を有するコンタクト挿入孔を画定しており、
前記第２コネクタは、
前記コンタクト挿入孔及び前記基板を貫通した前記第１コンタクトと電気的に接続される第２コンタクトが装着された第２ハウジングを有し、
前記第１コンタクトが前記コンタクト挿入孔及び前記基板を貫通して前記第２コンタクトと電気的に接続された状態において、前記押圧部材が前記第１及び前記第２可動体の少なくとも一方を押圧することによって前記第１及び第２可動体を前記近接状態から前記離隔状態に遷移させることが可能であることを特徴とするコネクタ。
【請求項２】
前記第１コネクタは、前記第１及び第２可動体の間に配置された規制リブをさらに有しており、
前記規制リブは、前記近接状態から前記離隔状態に遷移する過程において、前記第１及び前記第２可動体に常に挟まれた状態にあることを特徴とする請求項１に記載のコネクタ。
【請求項３】
前記規制リブは、前記基板と直交する方向に延在していることを特徴とする請求項２に記載のコネクタ。
【請求項４】
前記第１及び第２可動体の前記規制リブに対向する面は、前記基板と直交する方向に延在していることを特徴とする請求項３に記載のコネクタ。
【請求項５】
前記第１及び第２可動体と前記規制リブとは、摺動可能であるとともに、これらの間に隙間が設けられていないことを特徴とする請求項４に記載のコネクタ。
【請求項６】
前記規制リブは、前記第１ハウジングに設けられていることを特徴とする請求項２〜５のいずれか１項に記載のコネクタ。
【請求項７】
前記第１可動体には、第１支持面と、前記基板と直交する方向に前記第１支持面に対向し且つ前記第１支持面との間に空間を形成する第２支持面とが設けられ、
前記第２可動体には、前記第１可動体に向かって突出し且つ前記近接状態において前記空間に配置される突出部が設けられていることを特徴とする請求項１に記載のコネクタ。
【請求項８】
前記離隔状態において、前記突出部が前記空間に配置されないことを特徴とする請求項７に記載のコネクタ。
【請求項９】
前記第１及び第２支持面は、それぞれ前記第１可動体に形成された穴を画定する環状面の一部であることを特徴とする請求項７又は８に記載のコネクタ。
【請求項１０】
前記押圧部材に対向する前記第１及び第２可動体の対向面と前記第１及び第２可動体の境界面との交線である第１及び第２可動体の境界線の少なくとも一部が、第１及び第２可動体の相対移動方向についての中心からオフセットしていることを特徴とする請求項１〜９のいずれか１項に記載のコネクタ。
【請求項１１】
前記第１及び第２可動体の境界面の前記付勢部材との交差領域が前記相対移動方向についての中心に位置するように、第１可動体と第２可動体とが基板と直交する方向に部分的に重なり合っていることを特徴とする請求項１０に記載のコネクタ。
【請求項１２】
前記第１可動体と前記第２可動体とが基板と直交する方向に部分的に重なり合っていることを特徴とする請求項１〜９のいずれか１項に記載のコネクタ。
【請求項１３】
基板と直交する方向に延びるコンタクトを挟んで互いに反対側に配置される第１及び第２可動体を収容するハウジングと、
前記第１及び前記第２可動体に対して互いに離隔する方向に付勢力を与えることが可能な付勢部材と、
前記第１及び第２可動体の間に配置された規制リブとを有し、
前記ハウジングに収容された前記第１及び第２可動体は、前記付勢部材から付勢力が与えられ且つ前記ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能であり、
前記第１及び第２可動体は、前記近接状態において、前記コンタクトの径以上の最小径を有しており、前記基板に近づくに連れて径が小さくなった領域を有するコンタクト挿入孔を画定しており、
前記規制リブは、前記近接状態から前記離隔状態に遷移する過程において、前記第１及び第２可動体に常に挟まれた状態にあることを特徴とするコネクタ。
【請求項１４】
基板と直交する方向に延びるコンタクトを挟んで互いに反対側に配置される第１及び第２可動体を収容するハウジングと、
前記第１及び第２可動体に対して互いに離隔する方向に付勢力を与えることが可能な付勢部材とを有し、
前記ハウジングに収容された前記第１及び第２可動体は、前記付勢部材から付勢力が与えられ且つ前記ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能であり、
前記第１及び第２可動体は、前記近接状態において、前記コンタクトの径以上の最小径を有しており、前記基板に近づくに連れて径が小さくなった領域を有するコンタクト挿入孔を画定しており、
前記第１可動体には、第１支持面と、前記基板と直交する方向に前記第１支持面に対向し且つ前記第１支持面との間に空間を形成する第２支持面とが設けられ、
前記第２可動体には、前記第１可動体に向かって突出し且つ前記近接状態において前記空間に配置される突出部が設けられていることを特徴とするコネクタ。
【発明の詳細な説明】
【技術分野】
【０００１】
本発明は、基板に形成されたコンタクト挿入孔へコンタクトを誘い込むハウジング及びコネクタに関する。
【背景技術】
【０００２】
自動車等に搭載されるコネクタとして、基板上に載置されたコネクタ内に下方から基板を貫通した相手側コンタクトを挿入するものが知られている。相手側コンタクトは、基板に形成されたコンタクト挿入孔を通過してコネクタ内に挿入される。ここで、製造時の公差等により、相手側コンタクトとコンタクト挿入孔との位置ずれが生じると、相手側コンタクトをコンタクト挿入孔へスムーズに挿入することができない。このような問題は、相手側コンタクトの数が多くなるにつれて顕著となる。
【０００３】
上記問題を解消するため、特許文献１には、相手側コンタクトをコンタクト挿入孔へ誘い込むガイドハウジングが開示されている。ガイドハウジングには、相手側コンタクトを挿入可能なガイド孔（貫通孔）が形成されている。ガイドハウジングを基板の下方に配置すると、ガイド孔がコンタクト挿入孔の下方に配置され、これらの孔が連通する。ガイド孔はコンタクト挿入孔から離れるにつれて拡径した漏斗状に形成されており、ガイド孔下端はコンタクト挿入孔の径より大きくなっている。そのため、製造時の公差等により相手側コンタクトとコンタクト挿入孔とが位置ずれしても、相手側コンタクトをガイド孔へ挿入でき、その後は、ガイド孔からコンタクト挿入孔へ相手側コンタクトを導くことができる。
【先行技術文献】
【特許文献】
【０００４】
【特許文献１】特開２０１０−１４６８７３号公報
【発明の概要】
【発明が解決しようとする課題】
【０００５】
上記のようなガイドハウジングでは、ガイド孔の上端が相手側コンタクトと略同径となっている。これにより、ガイド孔に挿入された相手側コンタクトをコンタクト挿入孔へ導きやすくなる。そして、相手側コンタクトがガイド孔に挿入された状態では、相手側コンタクトとガイド孔を画定するガイドハウジング内周面とが近接している。
【０００６】
ところで、コネクタが搭載される自動車の電源や動力源（エンジン等）近傍では、振動が生じやすい。これに伴ってガイドハウジングが振動すると、相手側コンタクトにガイドハウジングの内周面が接することで、相手側コンタクトが摩耗する。また、ガイドハウジングだけでなく基板も振動することにより共振が起こると、相手側コンタクトへの負荷が大きくなる結果、相手側コンタクトが破損するおそれがある。
【０００７】
そこで、本発明の目的は、相手側コンタクトの摩耗や破損を防止するコネクタを提供することである。
【課題を解決するための手段】
【０００８】
本発明のコネクタは、基板を挟んで互いに反対側に配置される第１コネクタ及び第２コネクタと、押圧部材とを備えたコネクタにおいて、
前記第１コネクタは、
前記基板と直交する方向に延びる第１コンタクトを挟んで互いに反対側に配置される第１及び第２可動体を収容する第１ハウジングと、
前記第１及び第２可動体に対して互いに離隔する方向に付勢力を与えることが可能な付勢部材とを有し、
前記第１ハウジングに収容された前記第１及び第２可動体は、前記付勢部材から付勢力が与えられ且つ前記第１ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能であり、
前記第１及び第２可動体は、前記近接状態において、前記第１コンタクトの径以上の最小径を有しており、前記基板に近づくに連れて径が小さくなった領域を有するコンタクト挿入孔を画定しており、
前記第２コネクタは、
前記コンタクト挿入孔及び前記基板を貫通した前記第１コンタクトと電気的に接続される第２コンタクトが装着された第２ハウジングを有し、
前記第１コンタクトが前記コンタクト挿入孔及び前記基板を貫通して前記第２コンタクトと電気的に接続された状態において、前記押圧部材が前記第１及び前記第２可動体の少なくとも一方を押圧することによって前記第１及び第２可動体を前記近接状態から前記離隔状態に遷移させることが可能である。
【０００９】
本発明によると、第１コンタクト及び第２コンタクトが電気的に接続された状態において、第１及び第２可動体の少なくとも一方を押圧することにより、２つの可動体を第１コンタクトから遠ざけることができる。これにより、第１ハウジングが振動し、基板が振動することで共振が起こっても、第１コンタクトの摩耗及び破損を防止できる。
【００１０】
また、本発明において、前記第１コネクタは、前記第１及び第２可動体の間に配置された規制リブをさらに有しており、前記規制リブは、前記近接状態から前記離隔状態に遷移する過程において、前記第１及び前記第２可動体に常に挟まれた状態にあることが好ましい。
【００１１】
上記構成によると、第１及び第２可動体が規制リブに接触しながら回転移動するため、回転角度が抑えられる。これにより、押圧前に可動体が回転移動しても、大きな位置ずれが生じないため、２つの可動体を確実に離隔状態へ遷移させることができる。
【００１２】
さらに、上記構成において、前記規制リブは、前記基板と直交する方向に延在していることが好ましい。本構成によると、押圧前に第１可動体や第２可動体が回転移動するのを確実に規制できる。
【００１３】
加えて、上記構成において、前記第１及び第２可動体の前記規制リブに対向する面は、前記基板と直交する方向に延在していることが好ましい。第１及び第２可動体と規制リブとの対向面を基板と直交する方向に延在させることにより、第１可動体や第２可動体の回転移動を確実に規制できる。
【００１４】
また、上記構成において、前記第１及び第２可動体と前記規制リブとは、摺動可能であるとともに、これらの間に隙間が設けられていないことが好ましい。第１及び第２可動体と規制リブとを接触させることにより、第１可動体や第２可動体の回転移動を確実に規制できる。
【００１５】
さらに、前記規制リブは、前記第１ハウジングに設けられていることが好ましい。これにより、簡易な構成で、２つの可動体を確実に離隔状態に遷移させることができる。
【００１６】
また、代替的には、本発明のコネクタにおいて、前記第１可動体には、第１支持面と、前記基板と直交する方向に前記第１支持面に対向し且つ前記第１支持面との間に空間を形成する第２支持面とが設けられ、
前記第２可動体には、前記第１可動体に向かって突出し且つ前記近接状態において前記空間に配置される突出部が設けられていることが好ましい。
【００１７】
上記構成によると、第２可動体の突出部が第１可動体の第１支持面や第２支持面に支持されることによって、第１可動体や第２可動体の回転移動を規制できる。これにより、押圧前に可動体が位置ずれすることを抑止できるため、２つの可動体を確実に離隔状態へ遷移させることができる。
【００１８】
また、上記構成において、前記離隔状態において、前記突出部が前記空間に配置されないことが好ましい。離隔状態では２つの可動体が互いに接しないため、一方の可動体から他方の可動体へ振動が伝わることを抑止できる。
【００１９】
さらに、上記構成において、前記第１及び第２支持面は、それぞれ前記第１可動体に形成された穴を画定する環状面の一部であることが好ましい。第１可動体の孔内に第２可動体の突出部を配置するという簡易な構成で、第１可動体や第２可動体の回転移動を規制することができる。
【００２０】
また、本発明において、前記押圧部材に対向する前記第１及び第２可動体の対向面と前記第１及び第２可動体の境界面との交線である第１及び第２可動体の境界線の少なくとも一部が、第１及び第２可動体の相対移動方向についての中心からオフセットしていることが好ましい。これにより、押圧部材の固定位置が中心からオフセットしていても、２つの可動体を押圧できるため、これらの可動体を離隔状態に遷移させることができる。
【００２１】
さらに、上記構成において、前記第１及び第２可動体の境界面の前記付勢部材との交差領域が前記相対移動方向についての中心に位置するように、第１可動体と第２可動体とが基板と直交する方向に部分的に重なり合っていることが好ましい。付勢部材を取り囲む部分では２つの境界面が中心に位置するため、２つの可動体で付勢部材を安定して保持できる。また、付勢部材を２つの可動体の相対移動方向にバランスよく伸長させることができるため、２つの可動体を確実に離隔状態に遷移させることができる。
【００２２】
或いは、本発明において、前記第１可動体と前記第２可動体とが基板と直交する方向に部分的に重なり合っていることが好ましい。押圧部材で２つの可動体の重なり合った部分を押圧することにより、一方の可動体だけを押圧した場合でも両方の可動体を離隔状態に遷移させることができる。この場合、押圧部材の固定位置を２つの可動体の境界線からオフセットさせても、両方の可動体を離隔状態に遷移させることができるため、押圧部材の固定位置の自由度を高めることができる。
【００２３】
また、本発明のコネクタは、基板と直交する方向に延びるコンタクトを挟んで互いに反対側に配置される第１及び第２可動体を収容するハウジングと、
前記第１及び前記第２可動体に対して互いに離隔する方向に付勢力を与えることが可能な付勢部材と、
前記第１及び第２可動体の間に配置された規制リブとを有し、
前記ハウジングに収容された前記第１及び第２可動体は、前記付勢部材から付勢力が与えられ且つ前記ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能であり、
前記第１及び第２可動体は、前記近接状態において、前記コンタクトの径以上の最小径を有しており、前記基板に近づくに連れて径が小さくなった領域を有するコンタクト挿入孔を画定しており、
前記規制リブは、前記近接状態から前記離隔状態に遷移する過程において、前記第１及び第２可動体に常に挟まれた状態にある。
【００２４】
上記構成によると、規制リブにより第１可動体や第２可動体の回転移動を規制できるため、押圧前に可動体が位置ずれすることを抑止できる。これにより、２つの可動体を確実に離隔状態へ遷移させることができる。
【００２５】
また、本発明のコネクタは、基板と直交する方向に延びるコンタクトを挟んで互いに反対側に配置される第１及び第２可動体を収容するハウジングと、
前記第１及び第２可動体に対して互いに離隔する方向に付勢力を与えることが可能な付勢部材とを有し、
前記ハウジングに収容された前記第１及び第２可動体は、前記付勢部材から付勢力が与えられ且つ前記ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能であり、
前記第１及び第２可動体は、前記近接状態において、前記コンタクトの径以上の最小径を有しており、前記基板に近づくに連れて径が小さくなった領域を有するコンタクト挿入孔を画定しており、
前記第１可動体には、第１支持面と、前記基板と直交する方向に前記第１支持面に対向し且つ前記第１支持面との間に空間を形成する第２支持面とが設けられ、
前記第２可動体には、前記第１可動体に向かって突出し且つ前記近接状態において前記空間に配置される突出部が設けられている。
【００２６】
上記構成によると、第２可動体の突出部が第１可動体の第１支持面や第２支持面に支持されることによって、第１可動体や第２可動体の回転移動を規制できる。これにより、押圧前に可動体が位置ずれすることを抑止できるため、２つの可動体を確実に離隔状態へ遷移させることができる。
【発明の効果】
【００２７】
本発明によると、第１コンタクトが第１ハウジングのコンタクト挿入孔及び基板を貫通後、コンタクト挿入孔を画定する２つの可動体を第１コンタクトから遠ざけることができる。これにより、第１ハウジングが振動し、基板が振動することで共振が起こっても、第１コンタクトの摩耗及び破損を防止できる。
【図面の簡単な説明】
【００２８】
【図１】本発明の第１実施形態に係るコネクタの分解斜視図である。
【図２】（ａ）はスライダーの断面図(図１のIIA−IIA線に沿った図)であり、（ｂ）は雌コネクタの断面図(図１のIIB−IIB線に沿った図)であり、（ｃ）は基板及びガイドコネクタの断面図(図１のIIC−IIC線に沿った図)である。
【図３】ガイドコネクタの分解斜視図である。
【図４】（ａ）はガイドコネクタの平面図であり、（ｂ）はガイドコネクタの底面図である。
【図５】ガイドコネクタの斜視図及び断面図であり、（ａ）は近接状態を示し、（ｂ）は離隔状態を示している。
【図６】ガイドコネクタの他の斜視図及び断面図であり、（ａ）は近接状態を示し、（ｂ）は離隔状態を示している。
【図７】ガイドコネクタを組み立てる方法を順に示した斜視図である。
【図８】コネクタを組み立てる方法を順に示した断面図である。
【図９】（ａ）は第１可動体が回転移動したときのガイドコネクの断面図であり、（ｂ）は第２可動体が回転移動したときのガイドコネクの断面図である。
【図１０】本発明の第２実施形態のガイドコネクタの斜視図であり、（ａ）は正面からみた斜視図であり、（ｂ）は底面からみた斜視図である。
【図１１】図１０に示すガイドコネクタの分解斜視図である。
【図１２】図１０に示す第１及び第２可動体の斜視図であり、（ａ）は２つの可動体が離隔した状態を示し、（ｂ）は近接状態を示している。
【図１３】図１０に示すガイドコネクタの平面図であり、（ａ）は近接状態を示し、（ｂ）は離隔状態を示している。
【図１４】図１０に示すガイドコネクタの斜視図及び断面図であり、（ａ）は近接状態を示し、（ｂ）は離隔状態を示している。
【図１５】図１０に示すガイドコネクタの他の斜視図及び断面図であり、（ａ）は近接状態を示し、（ｂ）は離隔状態を示している。
【図１６】図１０に示すガイドコネクタの他の斜視図及び断面図であり、近接状態を示している。
【図１７】図１０に示すガイドコネクタを組み立てる方法を順に示した斜視図である。
【図１８】図１０に示すガイドコネクタの側面図であり、（ａ）は近接状態を示し、（ｂ）は離隔状態を示している。
【図１９】本発明の第２実施形態に係るコネクタを組み立てる方法を順に示した断面図である。
【図２０】（ａ）は変形例のガイドコネクタの断面図であり、（ｂ）は他の変形例のガイドコネクタの断面図である。
【発明を実施するための形態】
【００２９】
〔第１実施形態〕
以下、本発明の第１実施形態について説明する。
【００３０】
コネクタ１００は、図１に示すように、基板１１０の上方に配置されたスライダー１及び雌コネクタ（第２コネクタ）２と、基板１１０の下方に配置されたガイドコネクタ（第１コネクタ）３とを備えている。ガイドコネクタ３には、下方からピン（第１コンタクト）１２０が挿入される。また、雌コネクタ２の左右両端部には、上下方向に延在した押しピン（押圧部材）４,５が取り付けられている。
【００３１】
基板１１０には、厚み方向に貫通した略矩形状の挿入孔１１０ａが形成されている。挿入孔１１０ａには、ガイドコネクタ３の上端部が配置される（図２（ｃ）参照）。
【００３２】
（スライダー）
スライダー１は、図１に示すように、絶縁性の樹脂で形成された略箱状のハウジング６を有している。ハウジング６の左右両端部には、上下方向に延在した押しピン（押圧部材）４,５が取り付けられている。押しピン４,５は、ハウジング６の下端より下方に延在している。また、ハウジング６の内側には、雌コネクタ２を収容可能な空間が形成されている（図２（ａ）参照）。
【００３３】
図２（ａ）に示すように、ハウジング６には、長尺状のピン７が装着されている。ピン７は、上下方向に延在し、雌コネクタ２内に挿入される。
【００３４】
（雌コネクタ）
雌コネクタ２は、図１及び図２（ｂ）に示すように、絶縁性の樹脂で形成された略直方体状の雌ハウジング（第２ハウジング）１０と、雌ハウジング１０に装着された５つの雌コンタクト（第２コンタクト）２０とを有している。
【００３５】
<雌ハウジング>
雌ハウジング１０には、図１に示すように、雌コンタクト２０を収容可能な５つの空間（収容室）１１が左右方向に並んで形成されている。
【００３６】
雌ハウジング１０の底壁１２には、図２（ｂ）に示すように、上下方向に貫通した貫通孔１２ａが形成されている。貫通孔１２ａは各収容室１１の下方に形成され、収容室１１と連通している。基板１１０を貫通したコンタクト１２０は、下方から貫通孔１２ａを通過して収容室１１に挿入される。
【００３７】
貫通孔１２ａは、径が一定の上領域と、径が変化した下領域とを有する。下領域は、上領域から離れるにつれて径が大きくなるテーパ状に形成されている。このような構成から、コンタクト１２０を収容室１１内へ挿入しやすくなる。
【００３８】
<雌コンタクト> 
雌コンタクト２０は、図１及び図２（ｂ）に示すように、上端及び下端が開口した角筒部２１と、角筒部２１内を１周するように折れ曲がった曲折部２２と、上下方向等に弾性変位する弾性部２３と、収容室１１外に配置された固定部２４及び実装部２５とを有している（図２（ｂ）参照）。固定部２４は、弾性部２３の下端から下方向に延在し、雌ハウジング１０の底壁１２に固定されている。また、実装部２５は、固定部２４の途中から斜め下方向に延在しており、基板１１０にハンダ接合される。
【００３９】
角筒部２１は、図２（ｂ）に示すように、前後方向に対向する前壁部３１及び後壁部３２を有している。前壁部３１及び後壁部３２には、それぞれ、互いに対向する方向に突出した突部が形成されている。
【００４０】
曲折部２２は、前壁部３１の下端から下方に向かって凸状に湾曲した下湾曲部４１と、下湾曲部４１から上方向に延在した直線部４２と、直線部４２から後壁部３２に向かって凸状に突出した突出部４３とを有している。前壁部３１の突部と突出部４３との間にはスライダー１のピン７が挿入される（図１１（ｃ）参照）。また、後壁部３２の突部と直線部４２との間にはコンタクト１２０が挿入される（図９（ｂ）参照）。
【００４１】
（ガイドコネクタ）
ガイドコネクタ３は、図２（ｃ）及び図３に示すように、前後方向に対向した第１可動体５０（後方の可動体）及び第２可動体６０（前方の可動体）と、これらを収容する略箱状のハウジング（第１ハウジング）７０とを有している。ハウジング７０は、図３に示すように、上端部が開口した箱体（第１収容体）８０と、箱体８０の開口を塞ぐように配置される蓋体（第２収容体）９０とに上下方向に分離可能である。また、ハウジング７０の左右両端部には、箱体８０及び蓋体９０にまたがってスリットＳ１,Ｓ２が形成されている。スリットＳ１,Ｓ２には、補強タブ１３１,１３２が挿入される（図１参照）。第１可動体５０、第２可動体６０、ハウジング７０及び補強タブ１３１,１３２は、絶縁性の樹脂で形成されている。
【００４２】
第１可動体５０及び第２可動体６０の間には、図３に示すように、２つのバネ（付勢部材）１４１,１４２が配置される。一方のバネ（付勢部材）１４１は２つの可動対５０,６０の右端部に配置され、他方のバネ（付勢部材）１４２は２つの可動対５０,６０の左端部に配置される。
【００４３】
バネ１４１は、前後方向に弾性変形し、第１可動体６０及び第２可動体６０に対して互いに離隔する方向に付勢力を与える。これにより、第１可動体６０及び第２可動体６０は互いに離隔する方向へ移動しようとするが、ハウジング７０内では、その移動がハウジング７０によって規制された近接状態と（図５（ａ）,図６（ａ）,図９（ａ）,（ｂ）参照）、近接状態におけるよりも互いに離隔した離隔状態と（図５（ｂ）,図６（ｂ）,図９（ｃ））に遷移可能である。近接状態では、第１可動体６０及び第２可動体６０の互いに対向する接触している（図５（ａ）,図９（ａ）,（ｂ）参照）。一方、離隔状態では、近接状態におけるよりもバネ１４１が前後方向に伸長することにより、第１可動体６０及び第２可動体６０が離隔している（図５（ｂ）,図９（ｃ）参照）。なお、図５（ｂ）及び図６（ｂ）では、押しピン４,５を省略している。
【００４４】
第１可動体５０及び第２可動体６０は、図３に示すように、互いに対向する面と反対側の側部が３段の階段形状となっている（第１可動体５０の上段５０Ｔ,中段５０Ｍ,下段５０Ｌ、第２可動体６０の上段６０Ｔ、中段６０Ｍ、下段６０Ｌ）。第１可動体５０及び第２可動体６０は、左右両端部を除いて、略同じ構成となっている。本実施形態では、図４（ａ）に示すように、２つの可動体５０,６０の右端部の領域を右端領域Ｒ１と呼び、左端部の領域を左端領域Ｌ１と呼び、右端領域Ｒ１と左端領域Ｌ１との間の領域を中央領域Ｃ１と呼ぶ。中央領域Ｃ１は上段、中段及び下段の３段状に形成されているが、右端領域Ｒ１及び左端領域Ｌ１は中段及び下段の２段状である（図３参照）。また、右端領域Ｒ１及び左端領域Ｌ１の上方には押しピン４,５が配置される。
【００４５】
<中央領域Ｃ１>
第１可動体５０には、図３に示すように、第２可動体６０に対向する面に、５つの凹部５０ａ,５０ｂ,５０ｃ,５０ｄ,５０ｅが左右方向に並んで形成されている。また、第２可動体６０には、第１可動体５０に対向する面に、５つの凹部６０ａ,６０ｂ,６０ｃ,６０ｄ,６０ｅが左右方向に並んで形成されている。第１可動体５０の凹部と第２可動体６０の凹部は前後方向に対向する位置に形成されている。近接状態では、前後方向に対向する第１可動体の凹部と第２可動体の凹部（例えば、第１可動体５０の凹部５０ａと第２可動体６０の凹部６０ａ）により１つのコンタクト挿入孔（コンタクト挿入孔３Ａ）が形成される（図１,４参照）。このように、第１可動体５０及び第２可動体６０の対向面は、５つのコンタクト挿入孔３Ａ,３Ｂ,３Ｃ,３Ｄ,３Ｅを画定する（図１参照）。
【００４６】
コンタクト挿入孔３Ａ,３Ｂ,３Ｃ,３Ｄ,３Ｅには、上下方向に延在したコンタクト１２０が下方から挿入される（図１及び図２（ｃ）参照）。コンタクト１２０を挿入した状態では、第１可動体５０及び第２可動体６０がコンタクト１２０を挟んで互いに反対側に配置される（図６（ｂ）参照）。
【００４７】
コンタクト挿入孔３Ａは、図２（ｃ）に示すように、径が一定の上端領域３ｕと、その下方において径がテーパ状に変化したテーパ領域３ｔとを有している。テーパ領域３ｔは、上端領域３ｕに近づくにつれて径が小さくなっている。上端領域３ｕ及びテーパ領域３ｔの上端はコンタクト挿入孔３Ａの最小径であり、これはコンタクト１２０の径以上の大きさである。
【００４８】
また、中央領域Ｃ１では、図２（ｃ）に示すように、第１可動体５０と第２可動体６０との境界面が、上端から下端まで、前後方向について略中心に位置している（図４参照）。ここで、「前後方向」とは、第１可動体５０と第２可動体６０がバネ１４１,１４２により相対移動する方向である。
【００４９】
<右端領域Ｒ１,左端領域Ｌ１>
右端領域Ｒ１では、図３に示すように、第１可動体５０の中段５０Ｍに、第２可動体６０に向かって突出した突出部５１が設けられている。一方、第２可動体６０の中段６０Ｍには、突出部５１を収容可能な窪み６１が形成されている。このような構成から、図５（ａ）に示すように、中段５０Ｍ,６０Ｍでは、近接状態において第１可動体５０と第２可動体６０との境界面が前後方向について中心より前方にオフセットしている。一方、下段５０Ｌ,６０Ｌでは、第１可動体５０と第２可動体６０との境界面が前後方向についての略中心に位置している。そして、第１可動体５０の突出部５１が、第２可動体６０の下段６０Ｌと上下方向に重なり合っている。
【００５０】
下段５０Ｌ,６０Ｌにはバネ１４１が収容されており、下段５０Ｌ,６０Ｌは、２つの可動体５０,６０の境界面とバネ１４１とが交差する領域となっている。バネ１４１は、第１可動体５０の穴５２及び第２可動体６０の穴６２に配置されている。穴５２,６２は、前後方向に互いに対向し、略同じ大きさである。そのため、近接状態では、バネ１４１の後方半分が穴５２に配置され、バネ１４１の前方半分が穴６２に配置される。したがって、バネ１４１は第１可動体５０及び第２可動体６０によって略同じ力で保持される。よって、第１可動体５０及び第２可動体６０の規制が解除されると、図５（ｂ）に示すように、バネ１４１は前方及び後方に均等に伸長する。
【００５１】
また、図４（ａ）に示すように、近接状態において、右端領域Ｒ１には、ハウジング７０の右端に向かって開口した凹部１５１が形成される。凹部１５１は、図６（ａ）に示すように、第１可動体５０及び第２可動体６０の上端から下端まで延在している。
【００５２】
凹部１５１には、ハウジング７０の規制リブ１８２が配置される。規制リブ１８２は、第１可動体５０及び第２可動体６０によって前後方向に挟まれる。規制リブ１８２に対向する第１可動体５０の対向面５４（前後方向に対向する面）及び第２可動体６０の対向面６４（前後方向に対向する面）は、上下方向に延在している。
【００５３】
また、図４（ｂ）に示すように、第１可動体５０及び第２可動体６０の底部には、前後方向に互いに対向する凹部５５,６５が形成されている。凹部５５,６５は、バネ１４１が配置される穴５２,６２に連通している。近接状態では、２つの凹部５５,６５が連通することで、穴５２,６２内のバネ１４１を視認可能な窓部１５３が形成される。これにより、ガイドコネクタ３の背面からバネ１４１の有無を確認できる。また、平面視において、凹部５５は四角形状であるのに対し、凹部６５は反楕円状となっている。凹部５５の形状と凹部６５の形状とを変えることにより、一方が第１可動体５０であり、他方が第２可動体６０であることを確認できる。
【００５４】
また、左端領域Ｌ１は、右端領域Ｒ１と略同じ構成となっている。左端領域Ｌ１でも、図５（ａ）に示すように、近接状態において、第１可動体５０と第２可動体６０との境界面が、中段では前後方向について中心より前方にオフセットしているが、下段では前後方向について中心に位置している。そして、２つの可動体５０,６０は、上下方向に部分的に重なり合っている。本実施形態では、重なり合った部分の上方に押しピン５が固定されている（図４参照）。また、左端領域Ｌ１には、図４（ａ）に示すように、ハウジング７０の左端に向かって開口した凹部１５２が形成されている。凹部１５２内には規制リブ１８３が配置される。また、規制リブ１８３に対向する第１可動体５０の対向面（前後方向に対向する面）及び第２可動体６０の対向面（前後方向に対向する面）は、上下方向に延在している。さらに、左端領域Ｌ１の底部には、図４（ｂ）に示すように、バネ１４２を視認可能な窓部１５４が形成されている。
【００５５】
ここで、図４（ａ）に戻って、ガイドコネクタ３の上面では、近接状態において、第１可動体５０と第２可動体６０との境界線が、中央領域Ｃ１では前後方向の略中心に位置するが、右端領域Ｒ１及び左端領域Ｌ１では前後方向について中心より前方にオフセットしている。
【００５６】
[ハウジング]
<箱部>
ハウジング７０の箱体８０は、図３に示すように、底壁８１と、右壁８２と、左壁８３と、右壁８２上端から左壁８３上端まで延在した２つの規制梁８４,８５とを有している。底壁８１と規制梁８４,８５との間には空間が形成されている。また、箱体８０の上端部には、右壁８２、左壁８３及び規制梁８４,８５に囲まれた開口８０ａが形成されている。開口８０ａは、近接状態の２つの可動体５０,６０の下段５０Ｌ,６０Ｌを上方から同時に配置可能な大きさに形成されている（図７（ａ）参照）。
【００５７】
底壁８１の側部には、凹部８１ｐ,８１ｑが形成されている。凹部８１ｐ,８１ｑにより底壁８１を前後方向から挟持しやすくなる。これにより、ガイドコネクタ３を基板１１０の下方に容易に移動させることができる。また、底壁８１には、開口８１ａが形成されている。開口８１ａは、図２（ａ）に示すように、上端に近づくにつれて小さくなっている。
【００５８】
図３に戻って、右壁８２及び左壁８３には、それぞれ、上下方向にスリット８２Ｓ,８３Ｓが形成されている。スリット８２Ｓ,８３Ｓには、補強タブ１３１,１３２が挿入される。
【００５９】
また、右壁８２の中央付近（前後方向に関する中央付近）には、左壁８３に向かって突出した規制リブ１８２が設けられている。また、左壁８３の中央付近にも、右壁８２に向かって突出した規制リブ１８３が設けられている。
【００６０】
規制リブ１８２,１８３は、右壁８２及び左壁８３の上端から下端まで上下方向に延在している（図６（ａ）,（ｂ）参照）。そして、近接状態から離隔状態に遷移する過程において、規制リブ１８２,１８３は、第１可動体５０及び第２可動体６０に常に挟まれており、２つの可動体５０,６０の対向面５４,６４と摺動可能である。また、近接状態において、規制リブ１８２,１８３は、第１可動体５０及び第２可動体６０と接触しており、これらの間に隙間が殆ど設けられていない（図６（ａ）参照）。
【００６１】
図３に示す箱体８０の規制梁８４,８５は、２つの可動体５０,６０を互いに離隔する方向へ移動することを規制する（図５参照）。近接状態では、図５（ａ）に示すように、第１可動体５０の下段５０Ｌ及び第２可動体６０の下段６０Ｌがそれぞれ規制梁８４,８５に接触する。一方、離隔状態では、図５（ｂ）に示すように、第１可動体５０の中段５０Ｍ及び第２可動体６０の中段６０Ｍがそれぞれ規制梁８４,８５に接触する。
【００６２】
また、図３に示すように、規制梁８４の上面（蓋体９０に対向する面）には、左右両端部にボス部（凸部）８４ａ,８４ｂが設けられている。また、規制梁８５の上面（蓋体９０に対向する面）にも、左右両端部にボス部（凸部）８５ａ,８５ｂが設けられている。ボス部８４ａ,８４ｂ,８５ａ,８５ｂは、蓋体９０の底面に形成された４つの穴に嵌まる。
【００６３】
<蓋部>
蓋体９０には、図３に示すように、開口９０ａが形成されている。開口９０ａは、箱体８０の開口８０ａより小さく、近接状態において、第１可動体５０及び第２可動体６０の上段及び中段を視認可能な大きさに形成されている（図４（ａ）参照）。また、開口９０ａの左右両側には、補強タブ１３１,１３２を挿入可能なタブ開口９０ｂ,９０ｃが形成されている。
【００６４】
タブ開口９０ｂは、箱体８０のスリット８２Ｓとともに、ハウジング７０のスリットＳ１を形成する（図１参照）。また、タブ開口９０ｃは、箱体８０のスリット８３Ｓとともに、ハウジング７０のスリットＳ２を形成する。
【００６５】
図３に戻って、蓋体９０の上面には、ボス部９１,９２が設けられている。ボス部９１,９２は、基板１１０の底面に形成された穴（図示省略）に嵌まる（図５参照）。ここで、２つのボス部９１,９２の形状はそれぞれ異なり、これが嵌まる穴の形状も異なっている。したがって、ガイドコネクタ３を誤った向きに配置すると（例えば、左右方向に逆に配置すると）、ボス部９１,９２が基板１１０の穴に嵌まらない。そのため、ガイドコネクタ３が誤った向きに配置されることを防止できる。
【００６６】
<補強タブ>
補強タブ１３１,１３２は、図３に示すように、略四角形状の板状の部材であり、上下方向に延在した平板部１３１Ａ,１３２Ａと、平板部１３１Ａ,１３２Ａの上端からハウジング７０から離れる方向に延在した水平部１３１Ｂ,１３２Ｂとを有している。平板部１３１Ａの中央付近には長孔形状の貫通孔１３１ａ,１３２ａが形成されている。水平部１３１Ｂ,１３２Ｂは基板１１０の下面にハンダ接合され、ガイドコネクタ３と基板１１０との接続強度を高める。
【００６７】
次に、ガイドコネクタ３を組み立てる方法について、図７を参照しつつ説明する。
【００６８】
先ず、図７（ａ）に示すように、第１可動体５０及び第２可動体６０を、バネ１４１,１４２を挟みつつ（図示省略）、近接させる。そして、この状態を維持しつつ２つの可動体５０,６０を箱体８０上端部の開口８０ａから箱体８０内へ収容する。このとき、第１可動体５０の下段５０Ｌの側面及び第２可動体６０の下段６０Ｌの側面を箱体８０の規制梁８４,８５に当接させることにより、２つの可動体５０,６０を近接状態に保持する（図７（ｂ）参照）。
【００６９】
次に、蓋体９０を箱体８０の上端に取り付ける（図７（ｃ）参照）。そして、補強タブ１３１,１３２をハウジング７０のスリットＳ１,Ｓ２に挿入する（図９（ｄ）参照）。
【００７０】
続いて、第１可動体５０及び第２可動体６０を近接状態から離隔状態に遷移させる工程について、図８を参照しつつ説明する。図８は、図１のIIA−IIA線、IIB−IIB線及びIIC−IIC線に沿った断面図である。
【００７１】
先ず、図８（ａ）に示すように、基板１１０の上面に雌コネクタ２をハンダ接合する。このとき、スライダー１は雌コネクタ２の上部を覆うように配置され、ピン７が雌コンタクト２０の前壁部３１の突部と突出部４３との間に挿入されていない（半嵌合）。また、基板１１０の下面にはガイドコネクタ３が固定され、第１可動体５０及び第２可動体６０が近接状態にある。
【００７２】
近接状態では、第１可動体５０の下段５０Ｌの外側面と第２可動体６０の下段６０Ｌ外側面とがガイドコネクタ３の規制梁８４,８５に当接している。また、雌コネクタ２は、基板１１０よりやや上方に位置する。押しピン５は、第１可動体５０の中段５０Ｍの外側面と第２可動体６０の中段６０Ｍの上方において、ガイドコネクタ３の前後方向の中心より前方にオフセットした位置に配置される（図５（ａ）参照）。
【００７３】
次に、コンタクト１２０を下方からガイドコネクタ３内に挿入する（図８（ｂ）参照）。コンタクト１２０は、ガイドコネクタ３のコンタクト挿入孔３Ａを通過し、基板１１０を貫通した後、雌コンタクト２０の後壁部３２の突部と直線部４２との間に挿入される。そして、コンタクト１２０が後壁部３２及び直線部４２の少なくとも一方に接触することにより、これらの電気的接続が達成される。
【００７４】
この状態から、スライダー１を押し下げると（完全嵌合）、押しピン５も下方へ移動することで第１可動体５０の中段５０Ｍの外側面と第２可動体６０の中段６０Ｍを押圧する（図５（ａ）参照）。これにより、２つの可動体５０,６０が押し下げられ、雌コネクタ２から遠ざかる。また、第１可動体５０の下段５０Ｌ及び第２可動体６０の下段６０Ｌが下方に移動することにより、下段５０Ｌ,６０Ｌの外側面が規制梁８４,８５に接しないようになる（図５（ｂ）参照）。これにより、第１可動体５０及び第２可動体６０の規制が解除される結果、バネ１４２が伸長し、第１可動体５０及び第２可動体６０が互いに離隔する方向に移動することでコンタクト１２０から遠ざかる（図８（ｃ）参照）。その後、第１可動体５０の中段５０Ｍ及び第２可動体６０の中段６０Ｍが規制梁８４,８５に接するとともに、第１可動体５０の上段５０Ｔ及び第２可動体６０の上段６０Ｔが蓋体９０に接することにより（図８（ｃ）参照）、第１可動体５０及び第２可動体６０の移動が規制される。
【００７５】
なお、図５,６,８では、第１可動体５０及び第２可動体６０の互いに対向する面が上下方向（基板と直交する方向に延在）に延在した状態で押しピン４,５を押し下げたときを示している。しかし、第１可動体５０及び第２可動体６０は、下段５０Ｌ,６０Ｌだけが規制部８４,８５によって保持された不安定な状態であるため（図６（ａ）参照）、押しピン４,５を押し下げる前の段階、例えば、ガイドコネクタ３を基板１１０の下方へ搬送する過程で揺れ等が生じると、第１可動体５０や第２可動体６０が回転移動することがある。
【００７６】
押しピン４,５を押し下げる前に可動体５０,６０が回転しすぎた場合は、押しピン４,５で可動体５０,６０を十分に押圧することができない。また、回転量が大きすぎる場合、可動体５０,６０を押圧できないことがある。十分に押圧されなかった可動体は離隔状態に遷移しないためコンタクト１２０に近接している。そうすると、コンタクト１２０に接することで、コンタクト１２０を摩耗させたり、折損させたりする。
【００７７】
しかしながら、本実施形態では、第１可動体５０と第２可動体６０との間に常に規制リブ１８２,１８３が配置されているため（図６（ａ）参照）、第１可動体５０と第２可動体６０の回転移動を規制できる。
【００７８】
例えば、図９（ａ）に示すように、第１可動体５０は規制リブ１８２に摺動接触しながら回転移動するため、第１可動体５０の回転量が抑えられる。また、第２可動体６０についても、図９（ｂ）に示すように、規制リブ１８２に摺動接触しながら回転移動するため、回転量が抑えられる。このように、本実施形態では、規制リブ１８２,１８３が設けられていない場合よりも、第１可動体５０及び第２可動体６０の回転を抑制することができる。これにより、第１可動体５０及び第２可動体６０を押しピン４,５で十分に押圧できる。その結果、図８（ｃ）に示すように、第１可動体５０及び第２可動体６０を離隔状態に遷移させることができるため、２つの可動体５０,６０がコンタクト１２０から遠ざかる。
【００７９】
以上に述べたように、本実施形態のコネクタ１００によると以下の効果を奏する。コンタクト１２０と雌コンタクト２０とが電気的に接続された状態において、押しピン４,５で第１可動体５０及び第２可動体６０を押圧することにより、２つの可動体５０,６０をコンタクト１２０から遠ざけることができる。これにより、ハウジング７０、第１可動体５０及び第２可動体６０が振動し、また、基板１１０が振動することで共振が起こっても、コンタクト１２０に影響が及ばないようにできる。よって、コンタクト１２０の摩耗及び破損を防止できる。
【００８０】
また、第１可動体５０及び第２可動体６０の間に規制リブ１８２,１８３を配置し、近接状態から前記離隔状態に遷移する過程において、規制リブ１８２,１８３が２つの可動体５０,６０に常に挟まれた状態とすることにより、第１可動体５０や第２可動体６０が規制リブ１８２,１８３に接触しながら回転移動するため、回転量を少なくできる。これにより、押しピン４,５で押圧する前に第１可動体５０や第２可動体６０が位置ずれすることを抑止できる。よって、２つの可動体５０,６０を確実に押圧できるため、コンタクト１２０から２つの可動体５０,６０を確実に遠ざけることができる。
【００８１】
さらに、規制リブ１８２,１８３が上下方向（基板１１０と直交する方向）に延在しているとともに、規制リブ１８２,１８３に対向する対向面５４,６４も上下方向に延在している。これにより、第１可動体５０及び第２可動体６０の回転移動を確実に規制できる。
【００８２】
加えて、第１可動体５０及び第２可動体６０と規制リブ１８２,１８３とは、摺動可能であるとともに、近接状態においてこれらの間に隙間が設けられていない。そのため、近接状態では、第１可動体５０及び第２可動体６０と規制リブ１８２,１８３とが接触しているので、第１可動体５０及び第２可動体６０の回転移動を確実に規制できる。
【００８３】
また、ハウジング７０の箱部８０に規制リブ１８２,１８３を設けることにより、簡易な構成で、２つの可動体５０,６０の回転移動を規制できる。
【００８４】
また、本実施形態では、押しピン４,５の固定位置が、前後方向の中心から前方にオフセットしている。しかし、第１可動体５０及び第２可動体６０では、押しピン４,５が上方に配置される右端領域Ｒ１及び左端領域Ｌ１でも、上面の境界線が前後方向の中心から前方にオフセットしている。そのため、押しピン４,５で２つの可動体５０,６０を押圧できる。これにより、コンタクト１２０から２つの可動体５０,６０を遠ざけることができる。
【００８５】
さらに、右端領域Ｒ１及び左端領域Ｌ１では、バネ１４１,１４２が収容された下段５０Ｌ,６０Ｌの境界面が前後方向の中心に位置するため、バネ１４１,１４２が２つの可動体５０,６０に均等に保持される。したがって、バネ１４１,１４２が前後方向にバランスよく伸長するため、両方の可動体５０,６０をコンタクト１２０から遠ざけることができる。
【００８６】
〔第２実施形態〕
次に、本発明の第２実施形態について、図１０〜１９を参照しつつ説明する。第２実施形態において第１実施形態と異なる点は、ガイドコネクタの構成である。なお、上述した第１実施形態と同一の構成については同一の符号を用い、その説明を適宜省略する。また、図１４（ｂ）及び図１５（ｂ）では、押しピン４,５を省略している。
【００８７】
（ガイドコネクタ）
ガイドコネクタ３０３は、図１０,１１に示すように、第１可動体２５０（後方の可動体）及び第２可動体２６０（前方の可動体）と、これらを収容する略箱状のハウジング（第１ハウジング）２７０とを有している。ハウジング２７０の左右両端部には、補強タブ１３１,１３２が取り付けられる。第１可動体２５０、第２可動体２６０、ハウジング２７０及び補強タブ１３１,１３２は、絶縁性の樹脂で形成されている。また、２つの可動体２５０,２６０の間には、図１１に示すように、左右両端部にバネ（付勢部材）１４１,１４２が配置される。近接状態では、第１可動体２５０及び第２可動体２６０の対向面が接触している。第１可動体２５０及び第２可動体２６０の右端領域Ｒ２,左端領域Ｌ２の上方には押しピン４，５が配置される（図１３（ａ）参照）。
【００８８】
[第１可動体、第２可動体]
<中央領域Ｃ２>
図１１に示すように、第１可動体２５０及び第２可動体２６０の中央領域Ｃ２は、上段、中段及び下段の３段状に形成されている。第１可動体２５０には、図１１に示すように、第２可動体２６０に対向する面に、５つの凹部２５０ａ,２５０ｂ,２５０ｃ,２５０ｄ,２５０ｅが左右方向に並んで形成されている。また、第２可動体２６０には、第２可動体２５０に対向する面に、５つの凹部２６０ａ,２６０ｂ,２６０ｃ,２６０ｄ,２６０ｅが左右方向に並んで形成されている。第１可動体２５０の凹部と第２可動体２６０の凹部は前後方向に対向する位置に形成されている（例えば、第１可動体２５０の凹部２５０ａと第２可動体２６０の凹部２６０ａ）。近接状態では、対向する２つの凹部（例えば、凹部２５０ａと凹部２６０ａ）により１つのコンタクト挿入孔（コンタクト挿入孔２０２Ａ）が形成される（図１０（ａ）参照）。そして、本実施形態では、第１可動体２５０及び第２可動体２６０の対向面が、５つのコンタクト挿入孔２０３Ａ,２０３Ｂ,２０３Ｃ,２０３Ｄ,２０３Ｅを画定している。
【００８９】
コンタクト挿入孔２０３Ａ,２０３Ｂ,２０３Ｃ,２０３Ｄ,２０３Ｅは、径が一定の上端領域２０３ｕと、その下方において上端領域２０３ｕに近づくにつれて径が小さくなったテーパ領域２０３ｔを有している（図１９（ａ）参照）。上端領域２０３ｕ及びテーパ領域２０３ｔの上端はコンタクト挿入孔２０３Ａの最小径であり、これはコンタクト１２０の径以上の大きさである。
【００９０】
また、第１可動体２５０には、図１２（ａ）に示すように、隣り合う２つの凹部の間に、第２可動体２６０に向かって突出した円柱状のボス部（突出部）２５０ｈ,２５０ｉ,２５０ｊ,２５０ｋが左右方向に並んで形成されている。４つのボス部のうち左右両端の２つのボス部２５０ｈ,２５０ｋは、中央の２つのボス部２５０ｉ,２５０ｊよりも長い。
【００９１】
また、第２可動体２６０には、隣り合う２つの凹部の間（例えば、凹部２６０ａと凹部２６０ｂとの間）に、前後方向に貫通した円筒状の孔（空間）２６０ｈ,２６０ｉ,２６０ｊ,２６０ｋが形成されている。孔２６０ｈ,２６０ｉ,２６０ｊ,２６０ｋは、第１可動体２５０のボス部２５０ｈ,２５０ｉ,２５０ｊ,２５０ｋに対応する位置に形成されている。
【００９２】
近接状態では、第１可動体２５０のボス部２５０ｈ,２５０ｉ,２５０ｊ,２５０ｋが、それぞれ第２可動体２６０の孔２６０ｈ,２６０ｉ,２６０ｊ,２６０ｋに挿入される。このとき、図１２（ｂ）に示すように、両端の２つのボス部２５０ｈ,２５０ｋが、第１可動体２５０を貫通し、第２可動体２６０から突出している（図１３（ｂ）参照）。
【００９３】
この状態では、図１４（ａ）に示すように、孔２６０ｈを画定する環状面のうち上壁部（第１支持面）２６１ｕと下壁部（第２支持面）２６１ｌとによってボス部２５０ｈが上下方向に挟まれる。挟まれた部分では、ボス部２５０ｈと第２可動体２６０とが上下方向に重なり合っている。
【００９４】
ここで、第１可動体２５０が回転しようとすると、ボス部２５０ｈが下壁部２６１ｌに接することで回転が抑えられる。また、第２可動体２６０が回転しようとすると、上壁部２６１ｕがボス部２５０ｈに接することで回転が抑えられる。
【００９５】
また、近接状態から離隔状態に遷移するときは、図１３,１４に示すように、ボス部２５０ｈ,２５０ｉ,２５０ｊ,２５０ｋによって第１可動体２５０及び第２可動体を前後方向にガイドできる。
【００９６】
中央領域Ｃ２では、図１４（ａ）に示すように、近接状態において、第１可動体２５０と第２可動体２６０との境界面が、ボス部２５０ｈ及び孔２６０ｈを除いて、上端から下端まで、前後方向について略中心に位置している。なお、ボス部２５０ｈ,２５０ｉ,２５０ｊ,２５０ｋ及び孔２６０ｈ,２６０ｉ,２６０ｊ,２６０ｋが配置されている領域も同様に、ボス部及び孔を除いて、上端から下端まで、前後方向について略中心に位置している。
【００９７】
一方、離隔状態では、図１３（ｂ）及び図１４（ｂ）に示すように、全てのボス部２５０ｈ,２５０ｉ,２５０ｊ,２５０ｋが孔２６０ｈ,２６０ｉ,２６０ｊ,２６０ｋの外に配置され、第２可動体２６０と接触していない（図１５（ｂ）参照）。
【００９８】
<右端領域Ｒ２, 左端領域Ｌ２>
右端領域Ｒ２では、図１１に示すように、第１可動体２５０の中段２５０Ｍに、第２可動体２６０に向かって突出した突出部２５１が設けられている。一方、第２可動体２６０の中段２６０Ｍには、突出部２５１を収容可能な窪み２６１が形成されている。近接状態では、突出部２５１が窪み２６１に収容される。これにより、第１可動体２５０と第２可動体２６０との境界面は、図１５（ａ）に示すように、中段２５０Ｍ,２６０Ｍでは前後方向について中心より前方にオフセットするが、下段２５０Ｌ,２６０Ｌでは前後方向についての略中心に位置している。そして、第１可動体２５０の突出部２５１が、第２可動体２６０の下段２６０Ｌと上下方向に重なり合っている。重なり合った部分の上方には、押しピン４が配置されている。
【００９９】
下段２５０Ｌ,２６０Ｌにはバネ１４１が収容されており、下段２５０Ｌ,２６０Ｌは２つの可動体２５０,２６０の境界面とバネ１４１とが交差する領域となっている。バネ１４１は、第１可動体２５０の穴２５２及び第２可動体２６０の穴２６２に配置されている。穴２５２,２６２は、前後方向に互いに対向し、略同じ大きさである。そのため、近接状態では、バネ１４１の後方半分が穴２５２に配置され、バネ１４１の前方半分が穴２６２に配置される。したがって、バネ１４１は第１可動体２５０及び第２可動２体６０によって略同じ力で保持される。そのため、第１可動体２５０及び第２可動体２６０の規制が解除されると、図１５（ｂ）に示すように、バネ１４１は前方及び後方に均等に伸長する。
【０１００】
また、左端領域Ｌ２は、右端領域Ｒ２と略同じ構成となっている。左端領域Ｌ２でも、図１５（ａ）に示すように、近接状態において、第１可動体２５０と第２可動体２６０との境界面が、中段では前後方向について中心より前方にオフセットしているが、下段では前後方向について中心に位置している。そして、２つの可動体２５０,２６０が上下方向に部分的に重なり合っている。本実施形態では、重なり合った上方に押しピン４が固定されている（図１４参照）。
【０１０１】
図１３（ａ）に戻って、近接状態において、ガイドコネクタ３０３の上面では、第１可動体２５０と第２可動体２６０との境界線が、中央領域Ｃ２では前後方向の略中心に位置するが、右端領域Ｒ２及び左端領域Ｌ２では前後方向について中心より前方にオフセットしている。
【０１０２】
[ハウジング] 
ハウジング２７０は、図１１に示すように、底壁２７１と、右壁２７２と、左壁２７３と、上壁２７４とを有している。これらの内側には、第１可動体２５０及び第２可動体２６０を収容可能な収容空間Ｓが形成されている。また、ハウジング２７０の左右両端部には、収容空間Ｓに連通した孔２７０ａ,２７０ｂが形成されている。孔２７０ａ,２７０ｂは、近接状態における２つの可動体２５０,２６０を左右方向に同時に挿入可能な大きさに形成されている（図１７（ｂ）参照）。
【０１０３】
底壁２７１には、厚み方向（上下方向）に貫通した５つのガイド孔２７１ａ,２７１ｂ,２７１ｃ,２７１ｄ,２７１ｅが左右方向に並んで形成されている。ガイド孔２７１ａ,２７１ｂ,２７１ｃ,２７１ｄ,２７１ｅの上方には、それぞれ、コンタクト挿入孔２０２Ａ,２０２Ｂ,２０２Ｃ,２０２Ｄ,２０２Ｅが配置される（図１９参照）。
【０１０４】
また、ハウジング２７０の右壁２７２及び左壁２７３には、補強タブ１３１,１３２を挿入可能なスリット２７２ｓ,２７３ｓが形成されている。
【０１０５】
上壁２７４には、開口２７４ａが形成されている。開口２７４ａを前後方向に挟んだ上壁２７４の内壁面のうち、前方側の内壁面には４つの凹部２７５ａ,２７５ｂ,２７５ｃ,２７５ｄが左右方向に並んで形成されている。４つの凹部のうち中央の２つの凹部２７５ｂ,２７５ｃにはボス部２５０ｈ,２５０ｋが嵌まる（図１３（ａ）参照）。また、上壁２７４の内壁面のうち、後方側の内壁面には、図１１に示すように、２つの凹部２７５ｅ,２７５ｆが左右方向に並んで形成されている。
【０１０６】
また、上壁２７４の上面には、図１１に示すように、ボス部２７４ｂ,２７４ｃが設けられている。ボス部２７４ｂ,２７４ｃは、基板１１０の底面に形成された穴（図示省略）に嵌まる（図１４,１５参照）。
【０１０７】
近接状態では、図１５（ａ）及び図１６に示すように、第１可動体２５０の中段２５０Ｍ及び第２可動体２６０の中段２６０Ｍが上壁２７４の内周面（凹部２７５ａ,２７５ｂ,２７５ｃ,２７５ｄ,２７５ｅ,２７５ｆが形成されていない部分）に接触する。また、下段２５０Ｌ,２６０Ｌが、上壁２７４の底面から下方に突出した部分（図１５（ａ）及び図１６の突出部２７６ａ,２７６ｂ、図１０の突出部２７６ｃ,２７６ｄ）に接触している。突出部２７６ａ,２７６ｂ，２７６ｃ,２７６ｄは、それぞれ、上壁２７４の内周面に形成された凹部２７５ａ，２７５ｄ，２７５ｅ,２７５ｆを画定している（図１１参照）。
【０１０８】
一方、離隔状態では、図１５（ｂ）に示すように、第１可動体２５０の中段２５０Ｍ及び第２可動体２６０の中段２６０Ｍが上壁２７４の底面から下方に突出した部分（図１５（ｂ）に示す突出部２７６ａ,２７６ｂ及び図１０に示す突出部２７６ｃ,２７６ｄ）に接触する。これにより、第１可動体２５０及び第２可動体２６０が互いに離れる方向へ移動することを規制している。
【０１０９】
次に、ガイドコネクタ２０３を組み立てる方法について、図１７を参照しつつ説明する。
【０１１０】
先ず、図１７（ａ）に示すように、第１可動体２５０及び第２可動体２６０を、バネ１４１,１４２を挟みつつ（図示省略）近接させる。そして、この状態を維持しつつ２つの可動体２５０,２６０をハウジング２７０右端部の孔２７０ａからハウジング２７０内に収容する（図１６（ｂ）参照）。
【０１１１】
そして、第１可動体２５０及び第２可動体２６０を、近接状態を維持しつつ持ち上げる。第１可動体２５０の中段２５０Ｍ及び下段２５０Ｌと第２可動体２６０の中段２６０Ｍ及び下段２６０Ｌをハウジング２７０の上壁２７４の内周面に当接させる（図１６（ｃ）参照）。これにより、２つの可動体２５０,２６０が近接状態に維持される。その後、補強タブ１３１,１３２をハウジング２７０のスリット２７２ｓ,２７３ｓに挿入する（図１６（ｄ）参照）。
【０１１２】
近接状態では、図１８（ａ）に示すように、補強タブ１３１に形成された貫通孔１３１ａの先に第１可動体２５０及び第２可動体２６０の境界周辺が配置され、その先にはバネ１４１が配置されている（図示省略）。貫通孔１３１ａからハウジング２７０内に異物が侵入しても、第１可動体２５０及び第２可動体２６０によりバネ１４１の隙間に異物が侵入することを抑止できる。
【０１１３】
近接状態から離隔状態に遷移すると、図１８（ｂ）に示すように、補強タブ１３１の貫通孔１３１ａからバネ１４１が視認可能となる。
【０１１４】
続いて、第１可動体２５０及び第２可動体２６０を近接状態から離隔状態に遷移させる工程について、図１９を参照しつつ説明する。図１９は、図１のIIA−IIA線及びIIB−IIB線と、図１０のX−X線に沿った断面図である。
【０１１５】
先ず、図１９（ａ）に示すように、基板１１０の上面に雌コネクタ２をハンダ接合する。このとき、スライダー１は雌コネクタ２の上部を覆うように配置され、ピン７が雌コンタクト２０の前壁部３１の突部と突出部４３との間に挿入されていない（半嵌合）。また、基板１１０の下面にはガイドコネクタ３が固定され、第１可動体２５０及び第２可動体２６０が近接状態にある。押しピン５は、第１可動体２５０の中段２５０Ｍの外側面と第２可動体２６０の中段２６０Ｍの上方において、ガイドコネクタ３の前後方向の中心より前方にオフセットした位置に配置されている（図１６参照）。
【０１１６】
次に、コンタクト１２０を下方からガイドコネクタ３０３内に挿入する（図１９（ｂ）参照）。コンタクト１２０は、ガイドコネクタ３のコンタクト挿入孔２０３Ａを通過し、基板１１０を貫通した後、雌コンタクト２０の後壁部３２の突部と直線部４２との間に挿入される。そして、コンタクト１２０が後壁部３２及び直線部４２の少なくとも一方に接触することにより、これらの電気的接続が達成される。
【０１１７】
この状態から、スライダー１を押し下げると（完全嵌合）、押しピン４も下方へ移動することで第１可動体２５０の中段２５０Ｍの外側面と第２可動体２６０の中段２６０Ｍを押圧する。これにより、２つの可動体２５０,２６０が押し下げられ、雌コネクタ２から遠ざかる。また、第１可動体２５０の中段２５０Ｍ及び下段２５０Ｌと第２可動体２６０の中段２６０Ｍ及び下段２６０Ｌが上壁２７４の内周面に接しないようになる。これにより、第１可動体２５０及び第２可動体２６０の規制が解除されることで、バネ１４２が伸長する。第１可動体２５０及び第２可動体２６０はバネ１４２の不勢力により互いに離隔する方向に移動し、コンタクト１２０から遠ざかる（図１８（ｃ）参照）。その後、第１可動体２５０の中段２５０Ｍ及び第２可動体２６０の中段２６０Ｍが上壁２７４の内周面（図１０に示す突出部２７６ｃ,２７６ｄ及び図１５に示す突出部２７６ａ,２７６ｂ）に接することで、第１可動体２５０及び第２可動体２６０の移動が規制される。
【０１１８】
また、スライダー１を押し下げることにより、図１９（ｃ）に示すように、ピン７が雌コンタクト２０の前壁部３１の突部と突出部４３との間に配置される。これにより、突出部４３がコンタクト１２０に向かって変位するため、雌コンタクト２０とコンタクト１２０との接触性を向上させることができる。
【０１１９】
以上から、本実施形態においても第１実施形態と同様に、コンタクト１２０と雌コンタクト２０とが電気的に接続された状態において、押しピン４,５で第１可動体２５０及び第２可動体２６０を押圧することにより、２つの可動体２５０,２６０をコンタクト１２０から遠ざけることができる。これにより、ハウジング２７０、第１可動体２５０及び第２可動体２６０が振動し、また、基板１１０が振動することで共振が起こっても、コンタクト１２０に影響が及ばないようにできる。よって、コンタクト１２０の摩耗及び破損を防止できる。
【０１２０】
また、押しピン４,５の固定位置が、前後方向の中心から前方にオフセットしているが、第１可動体２５０及び第２可動体２６０では、押しピン４,５が上方に配置される右端領域Ｒ２及び左端領域Ｌ２でも、上面の境界線が前後方向の中心から前方にオフセットしている。そのため、押しピン４,５で２つの可動体２５０,２６０を押圧できる。これにより、コンタクト１２０から２つの可動体２５０,２６０を遠ざけることができる。
【０１２１】
さらに、右端領域Ｒ２及び左端領域Ｌ２では、バネ１４１,１４２が収容された下段２５０Ｌ,２６０Ｌの境界面が前後方向の中心に位置するため、バネ１４１,１４２が２つの可動体２５０,２６０に均等に保持される。したがって、バネ１４１,１４２が前後方向にバランスよく伸長するため、両方の可動体２５０,２６０をコンタクト１２０から遠ざけることができる。
【０１２２】
また、第１可動体２５０のボス部２５０ｈ,２５０ｉ,２５０ｊ,２５０ｋが第２可動体２６０の孔２６０ｈ,２６０ｉ,２６０ｊ,２６０ｋを画定する上壁部及び下壁部（例えば、上壁部２６１ｕ及び下壁部２６１ｌ）で支持されることにより（図１４（ａ）参照）、第１可動体２５０及び第２可動体２６０の回転移動を規制できる。これにより、押しピン４,５で押圧する前に第１可動体２５０や第２可動体２６０が位置ずれすることを抑止できるため、２つの可動体２５０,２６０を確実に押圧できる。
【０１２３】
また、離隔状態では、ボス部２５０ｈ,２５０ｉ,２５０ｊ,２５０ｋが孔２６０ｈ,２６０ｉ,２６０ｊ,２６０ｋに配置されないため、２つの可動体２５０,２６０が互いに接しない（図１３（ｂ）参照）。そのため、一方の可動体から他方の可動体へ振動が伝わることを抑止できる。
【０１２４】
さらに、孔２６０を画定する上壁部２６１ｕ及び下壁部２６１ｌによってボス部２５０ｈを支持するという簡易な構成で、２つの可動体２５０,２６０の回転移動を規制することができる。
【０１２５】
加えて、ボス部２５０ｈ,２５０ｋを長くすることにより、離隔状態に遷移する直前まで第１可動体２５０及び第２可動体２６０をガイドできる。これにより、２つの可動体２５０,２６０を正規な方向（前後方向）に離隔させることができる。
【０１２６】
以上、本発明の実施形態について図面に基づいて説明したが、具体的な構成は、これらの実施形態に限定されるものでないと考えられるべきである。本発明の範囲は上記した説明ではなくて特許請求の範囲によって示され、特許請求の範囲と均等の意味及び範囲内でのすべての変更が含まれる。
【０１２７】
例えば、スライダー１の構成、雌コネクタ２の構成及び押しピン４,５の構成（取り付けられる位置、形状等）は上述した実施形態に示すものに限られず、変更可能である。また、押しピン４,５は、スライダー１に取り付けられていなくてもよい。例えば、押圧部材は、長尺状の棒だけからなる部材でもよく、他の部材に取り付けられていてもよい。また、スライダー１を備えていない構成でもよい。
【０１２８】
さらに、上述した実施形態では、コンタクト１２０が雌コンタクト２０に電気的に接続された状態において、第１可動体５０,２５０及び第２可動体６０,２６０を近接状態から離隔状態へ遷移させたが（図８(ｃ)及び図１９(ｃ)参照）、離隔状態へ遷移させるタイミングは上記の場合に限られない。例えば、コンタクト１２０をガイドコネクタ３,２０３のコンタクト挿入孔２Ａ,２０２Ａへ挿入した後であれば、コンタクト１２０が雌コンタクト２０に電気的に接続されるのと同時に離隔状態へ遷移させてもよい。また、コンタクト１２０が雌コンタクト２０に電気的に接続される前でもよい。
【０１２９】
また、上述した実施形態では、押しピン（押圧部材）４,５が第１可動体５０,２５０及び第２可動体６０,２６０を押圧する場合について説明したが、いずれか一方の可動体だけを押圧してもよい。例えば、図２０（ａ）に示すように、押しピン４がガイドコネクタ３の前後方向の中心に配置され、第１可動体５０だけを押圧する構成でもよい。この場合、押しピン４は、第１可動体５０と第２可動体６０とが重なり合った部分の上方に配置される。重なり合った部分を押圧すると第２可動体６０が間接的に押圧されるため、２つの可動体５０,６０を離隔状態に遷移させることができる。
【０１３０】
また、上述の実施形態は、図５（ａ）及び図１５（ａ）に示すように、右端領域Ｒ１,Ｒ２及び左端領域Ｌ１,Ｌ２において、第１可動体５０,２５０と第２可動体６０,２６０とが部分的に重なり合っているが、２つの可動体が重なり合わなくてもよい。また、右端領域及び左端領域のいずれか一方において、２つの可動体が部分的に重なり合ってもよい。
【０１３１】
さらに、第１実施形態では、右端領域Ｒ１及び左端領域Ｌ１において、中段５０Ｍ,６０Ｍの境界面を前後方向の中心より前方にオフセットさせ（図５（ａ）参照）、第２実施形態では、右端領域Ｒ２及び左端領域Ｌ２において、中段２５０Ｍ,２６０Ｍの境界面を前後方向の中心より前方にオフセットさせたが（図１５（ａ）参照）、下段５０Ｌ,６０Ｌ,２５０Ｌ,２６０Ｌをオフセットさせてもよい。例えば、図２０（ｂ）に示すように、近接状態における第１可動体５５０と第２可動体５６０との境界面が、中段５５０Ｍ,５６０Ｍでは前後方向についての中心付近に位置し、下段５０Ｌ,６０Ｌでは前後方向について中心より前方にオフセットしてもよい。この場合、押しピンの固定位置をガイドコネクタ３の前後方向の中心付近とすると、第１可動体５５０と第２可動体５６０を押圧できる。また、押しピンの固定位置を、上述した実施形態のように、ガイドコネクタ３の前後方向の中心より前方にオフセットさせてもよい。その場合、第１可動体５５０だけが押圧されるが、２つの可動体５５０,５６０の重なり合った部分が押圧されることで、第２可動体５６０が間接的に押圧される。これにより、２つの可動体５５０,５６０を離隔状態に遷移させることができる。
【０１３２】
加えて、上述した実施形態では、ハウジング７０,１７０の左右両端部に補強タブ１３１,１３２を挿入したが、補強タブ１３１,１３２を挿入しなくてもよい。
【０１３３】
また、上述した実施形態では、ガイドコネクタ３,２０３の第１可動体５０,２５０及び第２可動体６０,２６０が同様な構成であるが、これらは異なる構成でもよい。
【０１３４】
さらに、上述した実施形態では付勢部材にバネ１４１,１４２を用いたが、付勢部材は上記に限られず、変更可能である。例えば、付勢部材にゴム等の弾性部材を用いてもよい。
【０１３５】
また、第１実施形態では、規制リブ１８２,１８３に関する構成を下記へ変更することができる。
【０１３６】
第１実施形態では、第１可動体５０と第２可動体６０との間に規制リブ１８２,１８３が配置される場合について説明したが、規制リブ１８２,１８３を有さない構成としてもよい。
【０１３７】
また、第１実施形態では、規制リブ１８２,１８３がハウジング７０に設けられている場合について説明したが、規制リブ１８２,１８３とハウジング７０とが別体でもよい。また、規制リブ１８２,１８３の形状、大きさ及び位置等は第１実施形態に示すものに限られず、変更可能である。例えば、第１実施形態では（図３,６参照）、規制リブ１８２が右壁８２の上端から下端まで上下方向に延在しているが、上下方向に延在していなくてもよく、右壁の上端部だけに設けられていてもよい。
【０１３８】
さらに、第１実施形態では、図６に示すように、第１可動体５０及び第２可動体６０の規制リブ１８２,１８３と対向する対向面５４,６４が上下方向に延在しているが、対向面５４,６４は規制リブ１８２,１８３に向かって凸となるように湾曲していてもよい。
【０１３９】
加えて、第１実施形態では、近接状態において、規制リブ１８２,１８３と、第１可動体５０及び第２可動体６０の対向面５４,６４との間に殆ど隙間が設けられていないが、これらの間に隙間が設けられてもよい。
【０１４０】
また、第１実施形態では、第１可動体５０及び第２可動体６０の底部にバネ１４１を視認可能な窓部１５３,１５４を設けたが、窓部はガイドハウジングの右側部や左側部に設けられてもよい。
【０１４１】
また、第２実施形態では、ボス部２５０ｈ,２５０ｉ,２５０ｊ,２５０ｋ及び孔２６０ｈ,２６０ｉ,２６０ｊ,２６０ｋに関する構成を下記へ変更することができる。
【０１４２】
第２実施形態では、図１１に示すように、第１可動体５０及び第２可動体６０の中央領域Ｃ２１にボス部２５０ｈ,２５０ｉ,２５０ｊ,２５０ｋ及び孔２６０ｈ,２６０ｉ,２６０ｊ,２６０ｋを設けたが、右端領域Ｒ２や左端領域Ｌ２にボス部及び孔を設けてもよい。
【０１４３】
また、第２実施形態では、第１可動体２５０のボス部２５０ｈ,２５０ｉ,２５０ｊ,２５０ｋを第２可動体２６０の孔２６０ｈ,２６０ｉ,２６０ｊ,２６０ｋに挿入し、図１４（ａ）に示すように、孔を画定する内壁のうち上壁部（第１支持面）２６１ｕと下壁部（第２支持面）２６１ｌとによってボス部２５０ｈを支持したが、ボス部を支持する構成は上述した構成に限られない。例えば、第２可動体に、第１可動体に向かって突出した２つの突出部Ａ,Ｂが上下方向に対向するように設けられ、２つの突出部Ａ,Ｂの間に形成された空間に第１可動体のボス部を配置してもよい。突出部Ａ,Ｂによりボス部を上下方向から支持できるため、第１可動体及び第２可動体の回転を抑止できる。また、上記の場合、左右方向に対向する面（右面、左面等）を設けなくてもよい。
【０１４４】
さらに、第２実施形態では、離隔状態において（図１３(ｂ)参照）、第１可動体２５０のボス部２５０ｈ,２５０ｉ,２５０ｊ,２５０ｋが第２可動体２６０に接しないが、ボス部が第２可動体に接してもよい。
【０１４５】
加えて、第２実施形態では、第１可動体２５０にボス部２５０ｈ,２５０ｉ,２５０ｊ,２５０ｋを設け、第２可動体２６０に孔２６０ｈ,２６０ｉ,２６０ｊ,２６０ｋを設けたが、第１可動体に孔を設け、第２可動体にボス部を設けてもよい。
【０１４６】
また、第２実施形態では、ボス部２５０ｈ,２５０ｉ,２５０ｊ,２５０ｋが配置される空間として第２可動体２６０に孔２６０ｈ,２６０ｉ,２６０ｊ,２６０ｋを設けたが、ボス部の長さに応じて孔の代わりに凹部を設けてもよい。
【０１４７】
さらに、ボス部や孔の構成（位置、形状、長さ等）は、第２実施形態に示すもの限られず、変更可能である。
【符号の説明】
【０１４８】
１             スライダー
２             雌コネクタ（第２コネクタ）
３,２０３      ガイドコネクタ（第１コネクタ）
３Ａ,３Ｂ,３Ｃ,３Ｄ,３Ｅ,３０３Ａ,３０３Ｂ,３０３Ｃ,３０３Ｄ,３０３Ｅ  コンタクト挿入孔
４,５          押しピン（押圧部材）
１０           雌ハウジング（第２ハウジング）
２０           雌コンタクト（第２コンタクト）
５０,２５０    第１可動体
６０,２６０    第２可動体
７０,２７０    ハウジング（第１ハウジング）
１４１,１４２  バネ（付勢部材）
１００         コネクタ
１１０         基板
１１０ａ       挿入孔（コンタクト挿入孔）
１２０         コンタクト（第１コンタクト）
１３１,１３２  補強タブ
１８２,１８３  規制リブ
５４,６４      対向面
２５０ｈ,２５０ｉ,２５０ｊ,２５０ｋ   ボス部（突出部）
２６０ｈ,２６０ｉ,２６０ｊ,２６０ｋ   孔
２６１ｕ       上壁部（第１支持面）
２６１ｌ       下壁部（第２支持面）
【図１】
2014207147.tif 000003
【図２】
2014207147.tif 000004
【図３】
2014207147.tif 000005
【図４】
2014207147.tif 000006
【図５】
2014207147.tif 000007
【図６】
2014207147.tif 000008
【図７】
2014207147.tif 000009
【図８】
2014207147.tif 000010
【図９】
2014207147.tif 000011
【図１０】
2014207147.tif 000012
【図１１】
2014207147.tif 000013
【図１２】
2014207147.tif 000014
【図１３】
2014207147.tif 000015
【図１４】
2014207147.tif 000016
【図１５】
2014207147.tif 000017
【図１６】
2014207147.tif 000018
【図１７】
2014207147.tif 000019
【図１８】
2014207147.tif 000020
【図１９】
2014207147.tif 000021
【図２０】
2014207147.tif 000022
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
基板を挟んで互いに反対側に配置される第１コネクタ及び第２コネクタと、押圧部材とを備えたコネクタにおいて、
前記第１コネクタは、
前記基板と直交する方向に延びる第１コンタクトを挟んで互いに反対側に配置される第１及び第２可動体を収容する第１ハウジングと、
前記第１及び第２可動体に対して互いに離隔する方向に付勢力を与えることが可能な付勢部材とを有し、
前記第１ハウジングに収容された前記第１及び第２可動体は、前記付勢部材から付勢力が与えられ且つ前記第１ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能であり、
前記第１及び第２可動体は、前記近接状態において、前記第１コンタクトの径以上の最小径を有しており、前記基板に近づくに連れて径が小さくなった領域を有するコンタクト挿入孔を画定しており、
前記第２コネクタは、
前記コンタクト挿入孔及び前記基板を貫通した前記第１コンタクトと電気的に接続される第２コンタクトが装着された第２ハウジングを有し、
前記第１コンタクトが前記コンタクト挿入孔及び前記基板を貫通して前記第２コンタクトと電気的に接続された状態において、前記押圧部材が前記第１及び前記第２可動体の少なくとも一方を押圧することによって前記第１及び第２可動体を前記近接状態から前記離隔状態に遷移させることが可能であることを特徴とするコネクタ。
【請求項２】
前記第１コネクタは、前記第１及び第２可動体の間に配置された規制リブをさらに有しており、
前記規制リブは、前記近接状態から前記離隔状態に遷移する過程において、前記第１及び前記第２可動体に常に挟まれた状態にあることを特徴とする請求項１に記載のコネクタ。
【請求項３】
前記規制リブは、前記基板と直交する方向に延在していることを特徴とする請求項２に記載のコネクタ。
【請求項４】
前記第１及び第２可動体の前記規制リブに対向する面は、前記基板と直交する方向に延在していることを特徴とする請求項３に記載のコネクタ。
【請求項５】
前記第１及び第２可動体と前記規制リブとは、摺動可能であるとともに、これらの間に隙間が設けられていないことを特徴とする請求項４に記載のコネクタ。
【請求項６】
前記規制リブは、前記第１ハウジングに設けられていることを特徴とする請求項２〜５のいずれか１項に記載のコネクタ。
【請求項７】
前記第１可動体には、第１支持面と、前記基板と直交する方向に前記第１支持面に対向し且つ前記第１支持面との間に空間を形成する第２支持面とが設けられ、
前記第２可動体には、前記第１可動体に向かって突出し且つ前記近接状態において前記空間に配置される突出部が設けられていることを特徴とする請求項１に記載のコネクタ。
【請求項８】
前記離隔状態において、前記突出部が前記空間に配置されないことを特徴とする請求項７に記載のコネクタ。
【請求項９】
前記第１及び第２支持面は、それぞれ前記第１可動体に形成された穴を画定する環状面の一部であることを特徴とする請求項７又は８に記載のコネクタ。
【請求項１０】
前記押圧部材に対向する前記第１及び第２可動体の対向面と前記第１及び第２可動体の境界面との交線である第１及び第２可動体の境界線の少なくとも一部が、第１及び第２可動体の相対移動方向についての中心からオフセットしていることを特徴とする請求項１〜９のいずれか１項に記載のコネクタ。
【請求項１１】
前記第１及び第２可動体の境界面の前記付勢部材との交差領域が前記相対移動方向についての中心に位置するように、第１可動体と第２可動体とが基板と直交する方向に部分的に重なり合っていることを特徴とする請求項１０に記載のコネクタ。
【請求項１２】
前記第１可動体と前記第２可動体とが基板と直交する方向に部分的に重なり合っていることを特徴とする請求項１〜９のいずれか１項に記載のコネクタ。
【請求項１３】
基板と直交する方向に延びるコンタクトを挟んで互いに反対側に配置される第１及び第２可動体を収容するハウジングと、
前記第１及び前記第２可動体に対して互いに離隔する方向に付勢力を与えることが可能な付勢部材と、
前記第１及び第２可動体の間に配置された規制リブとを有し、
前記ハウジングに収容された前記第１及び第２可動体は、前記付勢部材から付勢力が与えられ且つ前記ハウジングにより互いに離隔する方向への移動が規制された近接状態から、前記付勢部材による付勢力により前記近接状態におけるよりも互いに離隔した離隔状態に遷移可能であり、
前記第１及び第２可動体は、前記近接状態において、前記コンタクトの径以上の最小径を有しており、前記基板に近づくに連れて径が小さくなった領域を有するコンタクト挿入孔を画定しており、
前記規制リブは、前記近接状態から前記離隔状態に遷移する過程において、前記第１及び第２可動体に常に挟まれた状態にあることを特徴とするコネクタ。
【請求項１４】
基板と直交する方向に延びるコンタクトを挟んで互いに反対側に配置される第１及び第２可動体を収容するハウジングと、
前記第１及び第２可動体に対して互いに離隔する方向に付勢力を与えることが可能な付勢部材とを有し、
前記ハウジングに収容された前記第１及び第２可動体は、前記付勢部材から付勢力が与えられ且つ前記ハウジングにより互いに離隔する方向への移動が規制された近接状態から、前記付勢部材による付勢力により前記近接状態におけるよりも互いに離隔した離隔状態に遷移可能であり、
前記第１及び第２可動体は、前記近接状態において、前記コンタクトの径以上の最小径を有しており、前記基板に近づくに連れて径が小さくなった領域を有するコンタクト挿入孔を画定しており、
前記第１可動体には、第１支持面と、前記基板と直交する方向に前記第１支持面に対向し且つ前記第１支持面との間に空間を形成する第２支持面とが設けられ、
前記第２可動体には、前記第１可動体に向かって突出し且つ前記近接状態において前記空間に配置される突出部が設けられていることを特徴とするコネクタ。
【手続補正２】
【補正対象書類名】明細書
【補正対象項目名】全文
【補正方法】変更
【補正の内容】
【発明の詳細な説明】
【技術分野】
【０００１】
本発明は、基板に形成されたコンタクト挿入孔へコンタクトを誘い込むハウジングを備えたコネクタに関する。
【背景技術】
【０００２】
自動車等に搭載されるコネクタとして、基板上に載置されたコネクタ内に下方から基板を貫通した相手側コンタクトを挿入するものが知られている。相手側コンタクトは、基板に形成されたコンタクト挿入孔を通過してコネクタ内に挿入される。ここで、製造時の公差等により、相手側コンタクトとコンタクト挿入孔との位置ずれが生じると、相手側コンタクトをコンタクト挿入孔へスムーズに挿入することができない。このような問題は、相手側コンタクトの数が多くなるにつれて顕著となる。
【０００３】
上記問題を解消するため、特許文献１には、相手側コンタクトをコンタクト挿入孔へ誘い込むガイドハウジングが開示されている。ガイドハウジングには、相手側コンタクトを挿入可能なガイド孔（貫通孔）が形成されている。ガイドハウジングを基板の下方に配置すると、ガイド孔がコンタクト挿入孔の下方に配置され、これらの孔が連通する。ガイド孔はコンタクト挿入孔から離れるにつれて拡径した漏斗状に形成されており、ガイド孔下端はコンタクト挿入孔の径より大きくなっている。そのため、製造時の公差等により相手側コンタクトとコンタクト挿入孔とが位置ずれしても、相手側コンタクトをガイド孔へ挿入でき、その後は、ガイド孔からコンタクト挿入孔へ相手側コンタクトを導くことができる。
【先行技術文献】
【特許文献】
【０００４】
【特許文献１】特開２０１０−１４６８７３号公報
【発明の概要】
【発明が解決しようとする課題】
【０００５】
上記のようなガイドハウジングでは、ガイド孔の上端が相手側コンタクトと略同径となっている。これにより、ガイド孔に挿入された相手側コンタクトをコンタクト挿入孔へ導きやすくなる。そして、相手側コンタクトがガイド孔に挿入された状態では、相手側コンタクトとガイド孔を画定するガイドハウジング内周面とが近接している。
【０００６】
ところで、コネクタが搭載される自動車の電源や動力源（エンジン等）近傍では、振動が生じやすい。これに伴ってガイドハウジングが振動すると、相手側コンタクトにガイドハウジングの内周面が接することで、相手側コンタクトが摩耗する。また、ガイドハウジングだけでなく基板も振動することにより共振が起こると、相手側コンタクトへの負荷が大きくなる結果、相手側コンタクトが破損するおそれがある。
【０００７】
そこで、本発明の目的は、相手側コンタクトの摩耗や破損を防止するコネクタを提供することである。
【課題を解決するための手段】
【０００８】
本発明のコネクタは、基板を挟んで互いに反対側に配置される第１コネクタ及び第２コネクタと、押圧部材とを備えたコネクタにおいて、
前記第１コネクタは、
前記基板と直交する方向に延びる第１コンタクトを挟んで互いに反対側に配置される第１及び第２可動体を収容する第１ハウジングと、
前記第１及び第２可動体に対して互いに離隔する方向に付勢力を与えることが可能な付勢部材とを有し、
前記第１ハウジングに収容された前記第１及び第２可動体は、前記付勢部材から付勢力が与えられ且つ前記第１ハウジングにより互いに離隔する方向への移動が規制された近接状態から、前記近接状態におけるよりも前記第２コネクタから離隔し且つ前記付勢部材による付勢力により前記近接状態におけるよりも互いに離隔した離隔状態に遷移可能であり、
前記第１及び第２可動体は、前記近接状態において、前記第１コンタクトの径以上の最小径を有しており、前記基板に近づくに連れて径が小さくなった領域を有するコンタクト挿入孔を画定しており、
前記第２コネクタは、
前記コンタクト挿入孔及び前記基板を貫通した前記第１コンタクトと電気的に接続される第２コンタクトが装着された第２ハウジングを有し、
前記第１コンタクトが前記コンタクト挿入孔及び前記基板を貫通して前記第２コンタクトと電気的に接続された状態において、前記押圧部材が前記第１及び前記第２可動体の少なくとも一方を押圧することによって前記第１及び第２可動体を前記近接状態から前記離隔状態に遷移させることが可能である。
【０００９】
本発明によると、第１コンタクト及び第２コンタクトが電気的に接続された状態において、第１及び第２可動体の少なくとも一方を押圧することにより、２つの可動体を第１コンタクトから遠ざけることができる。これにより、第１ハウジングが振動し、基板が振動することで共振が起こっても、第１コンタクトの摩耗及び破損を防止できる。
【００１０】
また、本発明において、前記第１コネクタは、前記第１及び第２可動体の間に配置された規制リブをさらに有しており、前記規制リブは、前記近接状態から前記離隔状態に遷移する過程において、前記第１及び前記第２可動体に常に挟まれた状態にあることが好ましい。
【００１１】
上記構成によると、第１及び第２可動体が規制リブに接触しながら回転移動するため、回転角度が抑えられる。これにより、押圧前に可動体が回転移動しても、大きな位置ずれが生じないため、２つの可動体を確実に離隔状態へ遷移させることができる。
【００１２】
さらに、上記構成において、前記規制リブは、前記基板と直交する方向に延在していることが好ましい。本構成によると、押圧前に第１可動体や第２可動体が回転移動するのを確実に規制できる。
【００１３】
加えて、上記構成において、前記第１及び第２可動体の前記規制リブに対向する面は、前記基板と直交する方向に延在していることが好ましい。第１及び第２可動体と規制リブとの対向面を基板と直交する方向に延在させることにより、第１可動体や第２可動体の回転移動を確実に規制できる。
【００１４】
また、上記構成において、前記第１及び第２可動体と前記規制リブとは、摺動可能であるとともに、これらの間に隙間が設けられていないことが好ましい。第１及び第２可動体と規制リブとを接触させることにより、第１可動体や第２可動体の回転移動を確実に規制できる。
【００１５】
さらに、前記規制リブは、前記第１ハウジングに設けられていることが好ましい。これにより、簡易な構成で、２つの可動体を確実に離隔状態に遷移させることができる。
【００１６】
また、代替的には、本発明のコネクタにおいて、前記第１可動体には、第１支持面と、前記基板と直交する方向に前記第１支持面に対向し且つ前記第１支持面との間に空間を形成する第２支持面とが設けられ、
前記第２可動体には、前記第１可動体に向かって突出し且つ前記近接状態において前記空間に配置される突出部が設けられていることが好ましい。
【００１７】
上記構成によると、第２可動体の突出部が第１可動体の第１支持面や第２支持面に支持されることによって、第１可動体や第２可動体の回転移動を規制できる。これにより、押圧前に可動体が位置ずれすることを抑止できるため、２つの可動体を確実に離隔状態へ遷移させることができる。
【００１８】
また、上記構成において、前記離隔状態において、前記突出部が前記空間に配置されないことが好ましい。離隔状態では２つの可動体が互いに接しないため、一方の可動体から他方の可動体へ振動が伝わることを抑止できる。
【００１９】
さらに、上記構成において、前記第１及び第２支持面は、それぞれ前記第１可動体に形成された穴を画定する環状面の一部であることが好ましい。第１可動体の孔内に第２可動体の突出部を配置するという簡易な構成で、第１可動体や第２可動体の回転移動を規制することができる。
【００２０】
また、本発明において、前記押圧部材に対向する前記第１及び第２可動体の対向面と前記第１及び第２可動体の境界面との交線である第１及び第２可動体の境界線の少なくとも一部が、第１及び第２可動体の相対移動方向についての中心からオフセットしていることが好ましい。これにより、押圧部材の固定位置が中心からオフセットしていても、２つの可動体を押圧できるため、これらの可動体を離隔状態に遷移させることができる。
【００２１】
さらに、上記構成において、前記第１及び第２可動体の境界面の前記付勢部材との交差領域が前記相対移動方向についての中心に位置するように、第１可動体と第２可動体とが基板と直交する方向に部分的に重なり合っていることが好ましい。付勢部材を取り囲む部分では２つの境界面が中心に位置するため、２つの可動体で付勢部材を安定して保持できる。また、付勢部材を２つの可動体の相対移動方向にバランスよく伸長させることができるため、２つの可動体を確実に離隔状態に遷移させることができる。
【００２２】
或いは、本発明において、前記第１可動体と前記第２可動体とが基板と直交する方向に部分的に重なり合っていることが好ましい。押圧部材で２つの可動体の重なり合った部分を押圧することにより、一方の可動体だけを押圧した場合でも両方の可動体を離隔状態に遷移させることができる。この場合、押圧部材の固定位置を２つの可動体の境界線からオフセットさせても、両方の可動体を離隔状態に遷移させることができるため、押圧部材の固定位置の自由度を高めることができる。
【００２３】
また、本発明のコネクタは、基板と直交する方向に延びるコンタクトを挟んで互いに反対側に配置される第１及び第２可動体を収容するハウジングと、
前記第１及び前記第２可動体に対して互いに離隔する方向に付勢力を与えることが可能な付勢部材と、
前記第１及び第２可動体の間に配置された規制リブとを有し、
前記ハウジングに収容された前記第１及び第２可動体は、前記付勢部材から付勢力が与えられ且つ前記ハウジングにより互いに離隔する方向への移動が規制された近接状態から、前記付勢部材による付勢力により前記近接状態におけるよりも互いに離隔した離隔状態に遷移可能であり、
前記第１及び第２可動体は、前記近接状態において、前記コンタクトの径以上の最小径を有しており、前記基板に近づくに連れて径が小さくなった領域を有するコンタクト挿入孔を画定しており、
前記規制リブは、前記近接状態から前記離隔状態に遷移する過程において、前記第１及び第２可動体に常に挟まれた状態にある。
【００２４】
上記構成によると、規制リブにより第１可動体や第２可動体の回転移動を規制できるため、押圧前に可動体が位置ずれすることを抑止できる。これにより、２つの可動体を確実に離隔状態へ遷移させることができる。
【００２５】
また、本発明のコネクタは、基板と直交する方向に延びるコンタクトを挟んで互いに反対側に配置される第１及び第２可動体を収容するハウジングと、
前記第１及び第２可動体に対して互いに離隔する方向に付勢力を与えることが可能な付勢部材とを有し、
前記ハウジングに収容された前記第１及び第２可動体は、前記付勢部材から付勢力が与えられ且つ前記ハウジングにより互いに離隔する方向への移動が規制された近接状態から、前記付勢部材による付勢力により前記近接状態におけるよりも互いに離隔した離隔状態に遷移可能であり、
前記第１及び第２可動体は、前記近接状態において、前記コンタクトの径以上の最小径を有しており、前記基板に近づくに連れて径が小さくなった領域を有するコンタクト挿入孔を画定しており、
前記第１可動体には、第１支持面と、前記基板と直交する方向に前記第１支持面に対向し且つ前記第１支持面との間に空間を形成する第２支持面とが設けられ、
前記第２可動体には、前記第１可動体に向かって突出し且つ前記近接状態において前記空間に配置される突出部が設けられている。
【００２６】
上記構成によると、第２可動体の突出部が第１可動体の第１支持面や第２支持面に支持されることによって、第１可動体や第２可動体の回転移動を規制できる。これにより、押圧前に可動体が位置ずれすることを抑止できるため、２つの可動体を確実に離隔状態へ遷移させることができる。
【発明の効果】
【００２７】
本発明によると、第１コンタクトが第１ハウジングのコンタクト挿入孔及び基板を貫通後、コンタクト挿入孔を画定する２つの可動体を第１コンタクトから遠ざけることができる。これにより、第１ハウジングが振動し、基板が振動することで共振が起こっても、第１コンタクトの摩耗及び破損を防止できる。
【図面の簡単な説明】
【００２８】
【図１】本発明の第１実施形態に係るコネクタの分解斜視図である。
【図２】（ａ）はスライダーの断面図(図１のIIA−IIA線に沿った図)であり、（ｂ）は雌コネクタの断面図(図１のIIB−IIB線に沿った図)であり、（ｃ）は基板及びガイドコネクタの断面図(図１のIIC−IIC線に沿った図)である。
【図３】ガイドコネクタの分解斜視図である。
【図４】（ａ）はガイドコネクタの平面図であり、（ｂ）はガイドコネクタの底面図である。
【図５】ガイドコネクタの斜視図及び断面図であり、（ａ）は近接状態を示し、（ｂ）は離隔状態を示している。
【図６】ガイドコネクタの他の斜視図及び断面図であり、（ａ）は近接状態を示し、（ｂ）は離隔状態を示している。
【図７】ガイドコネクタを組み立てる方法を順に示した斜視図である。
【図８】コネクタを組み立てる方法を順に示した断面図である。
【図９】（ａ）は第１可動体が回転移動したときのガイドコネクの断面図であり、（ｂ）は第２可動体が回転移動したときのガイドコネクの断面図である。
【図１０】本発明の第２実施形態のガイドコネクタの斜視図であり、（ａ）は正面からみた斜視図であり、（ｂ）は底面からみた斜視図である。
【図１１】図１０に示すガイドコネクタの分解斜視図である。
【図１２】図１０に示す第１及び第２可動体の斜視図であり、（ａ）は２つの可動体が離隔した状態を示し、（ｂ）は近接状態を示している。
【図１３】図１０に示すガイドコネクタの平面図であり、（ａ）は近接状態を示し、（ｂ）は離隔状態を示している。
【図１４】図１０に示すガイドコネクタの斜視図及び断面図であり、（ａ）は近接状態を示し、（ｂ）は離隔状態を示している。
【図１５】図１０に示すガイドコネクタの他の斜視図及び断面図であり、（ａ）は近接状態を示し、（ｂ）は離隔状態を示している。
【図１６】図１０に示すガイドコネクタの他の斜視図及び断面図であり、近接状態を示している。
【図１７】図１０に示すガイドコネクタを組み立てる方法を順に示した斜視図である。
【図１８】図１０に示すガイドコネクタの側面図であり、（ａ）は近接状態を示し、（ｂ）は離隔状態を示している。
【図１９】本発明の第２実施形態に係るコネクタを組み立てる方法を順に示した断面図である。
【図２０】（ａ）は変形例のガイドコネクタの断面図であり、（ｂ）は他の変形例のガイドコネクタの断面図である。
【発明を実施するための形態】
【００２９】
〔第１実施形態〕
以下、本発明の第１実施形態について説明する。
【００３０】
コネクタ１００は、図１に示すように、基板１１０の上方に配置されたスライダー１及び雌コネクタ（第２コネクタ）２と、基板１１０の下方に配置されたガイドコネクタ（第１コネクタ）３とを備えている。ガイドコネクタ３には、下方からコンタクト（第１コンタクト）１２０が挿入される。また、スライダー１の左右両端部には、上下方向に延在した押しピン（押圧部材）４,５が取り付けられている。
【００３１】
基板１１０には、厚み方向に貫通した略矩形状の挿入孔１１０ａが形成されている。挿入孔１１０ａには、ガイドコネクタ３の上端部が配置される（図２（ｃ）参照）。
【００３２】
（スライダー）
スライダー１は、図１に示すように、絶縁性の樹脂で形成された略箱状のハウジング６を有している。ハウジング６の左右両端部には、上下方向に延在した押しピン（押圧部材）４,５が取り付けられている。押しピン４,５は、ハウジング６の下端より下方に延在している。また、ハウジング６の内側には、雌コネクタ２を収容可能な空間が形成されている（図２（ａ）参照）。
【００３３】
図２（ａ）に示すように、ハウジング６には、長尺状のピン７が装着されている。ピン７は、上下方向に延在し、雌コネクタ２内に挿入される。
【００３４】
（雌コネクタ）
雌コネクタ２は、図１及び図２（ｂ）に示すように、絶縁性の樹脂で形成された略直方体状の雌ハウジング（第２ハウジング）１０と、雌ハウジング１０に装着された５つの雌コンタクト（第２コンタクト）２０とを有している。
【００３５】
<雌ハウジング>
雌ハウジング１０には、図１に示すように、雌コンタクト２０を収容可能な５つの空間（収容室）１１が左右方向に並んで形成されている。
【００３６】
雌ハウジング１０の底壁１２には、図２（ｂ）に示すように、上下方向に貫通した貫通孔１２ａが形成されている。貫通孔１２ａは各収容室１１の下方に形成され、収容室１１と連通している。基板１１０を貫通したコンタクト１２０は、下方から貫通孔１２ａを通過して収容室１１に挿入される。
【００３７】
貫通孔１２ａは、径が一定の上領域と、径が変化した下領域とを有する。下領域は、上領域から離れるにつれて径が大きくなるテーパ状に形成されている。このような構成から、コンタクト１２０を収容室１１内へ挿入しやすくなる。
【００３８】
<雌コンタクト> 
雌コンタクト２０は、図１及び図２（ｂ）に示すように、上端及び下端が開口した角筒部２１と、角筒部２１内を１周するように折れ曲がった曲折部２２と、上下方向等に弾性変位する弾性部２３と、収容室１１外に配置された固定部２４及び実装部２５とを有している（図２（ｂ）参照）。固定部２４は、弾性部２３の下端から下方向に延在し、雌ハウジング１０の底壁１２に固定されている。また、実装部２５は、固定部２４の途中から斜め下方向に延在しており、基板１１０にハンダ接合される。
【００３９】
角筒部２１は、図２（ｂ）に示すように、前後方向に対向する前壁部３１及び後壁部３２を有している。前壁部３１及び後壁部３２には、それぞれ、互いに対向する方向に突出した突部が形成されている。
【００４０】
曲折部２２は、前壁部３１の下端から下方に向かって凸状に湾曲した下湾曲部４１と、下湾曲部４１から上方向に延在した直線部４２と、直線部４２から前壁部３１に向かって凸状に突出した突出部４３とを有している。前壁部３１の突部と突出部４３との間にはスライダー１のピン７が挿入される（図８（ｃ）参照）。また、後壁部３２の突部と直線部４２との間にはコンタクト１２０が挿入される（図８（ｂ）参照）。
【００４１】
（ガイドコネクタ）
ガイドコネクタ３は、図２（ｃ）及び図３に示すように、前後方向に対向した第１可動体５０（後方の可動体）及び第２可動体６０（前方の可動体）と、これらを収容する略箱状のハウジング（第１ハウジング）７０とを有している。ハウジング７０は、図３に示すように、上端部が開口した箱体（第１収容体）８０と、箱体８０の開口を塞ぐように配置される蓋体（第２収容体）９０とに上下方向に分離可能である。また、ハウジング７０の左右両端部には、箱体８０及び蓋体９０にまたがってスリットＳ1,Ｓ2が形成されている。スリットＳ1,Ｓ2には、補強タブ１３１,１３２が挿入される（図１参照）。第１可動体５０、第２可動体６０、ハウジング７０及び補強タブ１３１,１３２は、絶縁性の樹脂で形成されている。
【００４２】
第１可動体５０及び第２可動体６０の間には、図３に示すように、２つのバネ（付勢部材）１４１,１４２が配置される。一方のバネ（付勢部材）１４１は２つの可動対５０,６０の右端部に配置され、他方のバネ（付勢部材）１４２は２つの可動対５０,６０の左端部に配置される。
【００４３】
バネ１４１,１４２は、前後方向に弾性変形し、第１可動体５０及び第２可動体６０に対して互いに離隔する方向に付勢力を与える。これにより、第１可動体５０及び第２可動体６０は互いに離隔する方向へ移動しようとするが、ハウジング７０内では、その移動がハウジング７０によって規制された近接状態と（図５（ａ）,図６（ａ）,図９（ａ）,（ｂ）参照）、近接状態におけるよりも互いに離隔した離隔状態と（図５（ｂ）,図６（ｂ）,図９（ｃ））に遷移可能である。近接状態では、第１可動体５０及び第２可動体６０の互いに対向して接触している（図５（ａ）,図９（ａ）,（ｂ）参照）。一方、離隔状態では、近接状態におけるよりもバネ１４１が前後方向に伸長することにより、第１可動体５０及び第２可動体６０が離隔している（図５（ｂ）,図９（ｃ）参照）。なお、図５（ｂ）及び図６（ｂ）では、押しピン４,５を省略している。
【００４４】
第１可動体５０及び第２可動体６０は、図３に示すように、互いに対向する面と反対側の側部が３段の階段形状となっている（第１可動体５０の上段５０Ｔ,中段５０Ｍ,下段５０Ｌ、第２可動体６０の上段６０Ｔ、中段６０Ｍ、下段６０Ｌ）。第１可動体５０及び第２可動体６０は、左右両端部を除いて、略同じ構成となっている。本実施形態では、図４（ａ）に示すように、２つの可動体５０,６０の右端部の領域を右端領域Ｒ1と呼び、左端部の領域を左端領域Ｌ1と呼び、右端領域Ｒ1と左端領域Ｌ1との間の領域を中央領域Ｃ1と呼ぶ。中央領域Ｃ1は上段、中段及び下段の３段状に形成されているが、右端領域Ｒ1及び左端領域Ｌ1は中段及び下段の２段状である（図３参照）。また、右端領域Ｒ1及び左端領域Ｌ1の上方には押しピン４,５が配置される。
【００４５】
<中央領域Ｃ1>
第１可動体５０には、図３に示すように、第２可動体６０に対向する面に、５つの凹部５０ａ,５０ｂ,５０ｃ,５０ｄ,５０ｅが左右方向に並んで形成されている。また、第２可動体６０には、第１可動体５０に対向する面に、５つの凹部６０ａ,６０ｂ,６０ｃ,６０ｄ,６０ｅが左右方向に並んで形成されている。第１可動体５０の凹部と第２可動体６０の凹部は前後方向に対向する位置に形成されている。近接状態では、前後方向に対向する第１可動体の凹部と第２可動体の凹部（例えば、第１可動体５０の凹部５０ａと第２可動体６０の凹部６０ａ）により１つのコンタクト挿入孔（コンタクト挿入孔３Ａ）が形成される（図１,４参照）。このように、第１可動体５０及び第２可動体６０の対向面は、５つのコンタクト挿入孔３Ａ,３Ｂ,３Ｃ,３Ｄ,３Ｅを画定する（図１参照）。
【００４６】
コンタクト挿入孔３Ａ,３Ｂ,３Ｃ,３Ｄ,３Ｅには、上下方向に延在したコンタクト１２０が下方から挿入される（図１及び図２（ｃ）参照）。コンタクト１２０を挿入した状態では、第１可動体５０及び第２可動体６０がコンタクト１２０を挟んで互いに反対側に配置される（図６（ｂ）参照）。
【００４７】
コンタクト挿入孔３Ａは、図２（ｃ）に示すように、径が一定の上端領域３ｕと、その下方において径がテーパ状に変化したテーパ領域３ｔとを有している。テーパ領域３ｔは、上端領域３ｕに近づくにつれて径が小さくなっている。上端領域３ｕ及びテーパ領域３ｔの上端はコンタクト挿入孔３Ａの最小径であり、これはコンタクト１２０の径以上の大きさである。
【００４８】
また、中央領域Ｃ1では、図２（ｃ）に示すように、第１可動体５０と第２可動体６０との境界面が、上端から下端まで、前後方向について略中心に位置している（図４参照）。ここで、「前後方向」とは、第１可動体５０と第２可動体６０がバネ１４１,１４２により相対移動する方向である。
【００４９】
<右端領域Ｒ1,左端領域Ｌ1>
右端領域Ｒ1では、図３に示すように、第１可動体５０の中段５０Ｍに、第２可動体６０に向かって突出した突出部５１が設けられている。一方、第２可動体６０の中段６０Ｍには、突出部５１を収容可能な窪み６１が形成されている。このような構成から、図５（ａ）に示すように、中段５０Ｍ,６０Ｍでは、近接状態において第１可動体５０と第２可動体６０との境界面が前後方向について中心より前方にオフセットしている。一方、下段５０Ｌ,６０Ｌでは、第１可動体５０と第２可動体６０との境界面が前後方向についての略中心に位置している。そして、第１可動体５０の突出部５１が、第２可動体６０の下段６０Ｌと上下方向に重なり合っている。
【００５０】
下段５０Ｌ,６０Ｌにはバネ１４１が収容されており、下段５０Ｌ,６０Ｌは、２つの可動体５０,６０の境界面とバネ１４１とが交差する領域となっている。バネ１４１は、第１可動体５０の穴５２及び第２可動体６０の穴６２に配置されている。穴５２,６２は、前後方向に互いに対向し、略同じ大きさである。そのため、近接状態では、バネ１４１の後方半分が穴５２に配置され、バネ１４１の前方半分が穴６２に配置される。したがって、バネ１４１は第１可動体５０及び第２可動体６０によって略同じ力で保持される。よって、第１可動体５０及び第２可動体６０の規制が解除されると、図５（ｂ）に示すように、バネ１４１は前方及び後方に均等に伸長する。
【００５１】
また、図４（ａ）に示すように、近接状態において、右端領域Ｒ1には、ハウジング７０の右端に向かって開口した凹部１５１が形成される。凹部１５１は、図６（ａ）に示すように、第１可動体５０及び第２可動体６０の上端から下端まで延在している。
【００５２】
凹部１５１には、ハウジング７０の規制リブ１８２が配置される。規制リブ１８２は、第１可動体５０及び第２可動体６０によって前後方向に挟まれる。規制リブ１８２に対向する第１可動体５０の対向面５４（前後方向に対向する面）及び第２可動体６０の対向面６４（前後方向に対向する面）は、上下方向に延在している。
【００５３】
また、図４（ｂ）に示すように、第１可動体５０及び第２可動体６０の底部には、前後方向に互いに対向する凹部５５,６５が形成されている。凹部５５,６５は、バネ１４１が配置される穴５２,６２に連通している。近接状態では、２つの凹部５５,６５が連通することで、穴５２,６２内のバネ１４１を視認可能な窓部１５３が形成される。これにより、ガイドコネクタ３の背面からバネ１４１の有無を確認できる。また、平面視において、凹部５５は四角形状であるのに対し、凹部６５は半楕円状となっている。凹部５５の形状と凹部６５の形状とを変えることにより、一方が第１可動体５０であり、他方が第２可動体６０であることを確認できる。
【００５４】
また、左端領域Ｌ1は、右端領域Ｒ1と略同じ構成となっている。左端領域Ｌ1でも、図５（ａ）に示すように、近接状態において、第１可動体５０と第２可動体６０との境界面が、中段では前後方向について中心より前方にオフセットしているが、下段では前後方向について中心に位置している。そして、２つの可動体５０,６０は、上下方向に部分的に重なり合っている。本実施形態では、重なり合った部分の上方に押しピン５が固定されている（図４参照）。また、左端領域Ｌ1には、図４（ａ）に示すように、ハウジング７０の左端に向かって開口した凹部１５２が形成されている。凹部１５２内には規制リブ１８３が配置される。また、規制リブ１８３に対向する第１可動体５０の対向面（前後方向に対向する面）及び第２可動体６０の対向面（前後方向に対向する面）は、上下方向に延在している。さらに、左端領域Ｌ1の底部には、図４（ｂ）に示すように、バネ１４２を視認可能な窓部１５４が形成されている。
【００５５】
ここで、図４（ａ）に戻って、ガイドコネクタ３の上面では、近接状態において、第１可動体５０と第２可動体６０との境界線が、中央領域Ｃ1では前後方向の略中心に位置するが、右端領域Ｒ1及び左端領域Ｌ1では前後方向について中心より前方にオフセットしている。
【００５６】
[ハウジング] 
<箱体>
ハウジング７０の箱体８０は、図３に示すように、底壁８１と、右壁８２と、左壁８３と、右壁８２上端から左壁８３上端まで延在した２つの規制梁８４,８５とを有している。底壁８１と規制梁８４,８５との間には空間が形成されている。また、箱体８０の上端部には、右壁８２、左壁８３及び規制梁８４,８５に囲まれた開口８０ａが形成されている。開口８０ａは、近接状態の２つの可動体５０,６０の下段５０Ｌ,６０Ｌを上方から同時に配置可能な大きさに形成されている（図７（ａ）参照）。
【００５７】
底壁８１の側部には、凹部８１ｐ,８１ｑが形成されている。凹部８１ｐ,８１ｑにより底壁８１を前後方向から挟持しやすくなる。これにより、ガイドコネクタ３を基板１１０の下方に容易に移動させることができる。また、底壁８１には、開口８１ａが形成されている。開口８１ａは、図２（ｃ）に示すように、上端に近づくにつれて小さくなっている。
【００５８】
図３に戻って、右壁８２及び左壁８３には、それぞれ、上下方向にスリット８２Ｓ,８３Ｓが形成されている。スリット８２Ｓ,８３Ｓには、補強タブ１３１,１３２が挿入される。
【００５９】
また、右壁８２の中央付近（前後方向に関する中央付近）には、左壁８３に向かって突出した規制リブ１８２が設けられている。また、左壁８３の中央付近にも、右壁８２に向かって突出した規制リブ１８３が設けられている。
【００６０】
規制リブ１８２,１８３は、右壁８２及び左壁８３の上端から下端まで上下方向に延在している（図６（ａ）,（ｂ）参照）。そして、近接状態から離隔状態に遷移する過程において、規制リブ１８２,１８３は、第１可動体５０及び第２可動体６０に常に挟まれており、２つの可動体５０,６０の対向面５４,６４と摺動可能である。また、近接状態において、規制リブ１８２,１８３は、第１可動体５０及び第２可動体６０と接触しており、これらの間に隙間が殆ど設けられていない（図６（ａ）参照）。
【００６１】
図３に示す箱体８０の規制梁８４,８５は、２つの可動体５０,６０を互いに離隔する方向へ移動することを規制する（図５参照）。近接状態では、図５（ａ）に示すように、第１可動体５０の下段５０Ｌ及び第２可動体６０の下段６０Ｌがそれぞれ規制梁８４,８５に接触する。一方、離隔状態では、図５（ｂ）に示すように、第１可動体５０の中段５０Ｍ及び第２可動体６０の中段６０Ｍがそれぞれ規制梁８４,８５に接触する。
【００６２】
また、図３に示すように、規制梁８４の上面（蓋体９０に対向する面）には、左右両端部にボス部（凸部）８４ａ,８４ｂが設けられている。また、規制梁８５の上面（蓋体９０に対向する面）にも、左右両端部にボス部（凸部）８５ａ,８５ｂが設けられている。ボス部８４ａ,８４ｂ,８５ａ,８５ｂは、蓋体９０の底面に形成された４つの穴に嵌まる。
【００６３】
<蓋部>
蓋体９０には、図３に示すように、開口９０ａが形成されている。開口９０ａは、箱体８０の開口８０ａより小さく、近接状態において、第１可動体５０及び第２可動体６０の上段及び中段を視認可能な大きさに形成されている（図４（ａ）参照）。また、開口９０ａの左右両側には、補強タブ１３１,１３２を挿入可能なタブ開口９０ｂ,９０ｃが形成されている。
【００６４】
タブ開口９０ｂは、箱体８０のスリット８２Ｓとともに、ハウジング７０のスリットＳ1を形成する（図１参照）。また、タブ開口９０ｃは、箱体８０のスリット８３Ｓとともに、ハウジング７０のスリットＳ2を形成する。
【００６５】
図３に戻って、蓋体９０の上面には、ボス部９１,９２が設けられている。ボス部９１,９２は、基板１１０の底面に形成された穴（図示省略）に嵌まる（図５参照）。ここで、２つのボス部９１,９２の形状はそれぞれ異なり、これが嵌まる穴の形状も異なっている。したがって、ガイドコネクタ３を誤った向きに配置すると（例えば、左右方向に逆に配置すると）、ボス部９１,９２が基板１１０の穴に嵌まらない。そのため、ガイドコネクタ３が誤った向きに配置されることを防止できる。
【００６６】
<補強タブ>
補強タブ１３１,１３２は、図３に示すように、略四角形状の板状の部材であり、上下方向に延在した平板部１３１Ａ,１３２Ａと、平板部１３１Ａ,１３２Ａの上端からハウジング７０から離れる方向に延在した水平部１３１Ｂ,１３２Ｂとを有している。平板部１３１Ａの中央付近には長孔形状の貫通孔１３１ａ,１３２ａが形成されている。水平部１３１Ｂ,１３２Ｂは基板１１０の下面にハンダ接合され、ガイドコネクタ３と基板１１０との接続強度を高める。
【００６７】
次に、ガイドコネクタ３を組み立てる方法について、図７を参照しつつ説明する。
【００６８】
先ず、図７（ａ）に示すように、第１可動体５０及び第２可動体６０を、バネ１４１,１４２を挟みつつ（図示省略）、近接させる。そして、この状態を維持しつつ２つの可動体５０,６０を箱体８０上端部の開口８０ａから箱体８０内へ収容する。このとき、第１可動体５０の下段５０Ｌの側面及び第２可動体６０の下段６０Ｌの側面を箱体８０の規制梁８４,８５に当接させることにより、２つの可動体５０,６０を近接状態に保持する（図７（ｂ）参照）。
【００６９】
次に、蓋体９０を箱体８０の上端に取り付ける（図７（ｂ）,（ｃ）参照）。そして、補強タブ１３１,１３２をハウジング７０のスリットＳ1,Ｓ2に挿入する（図７（ｃ）,（ｄ）参照）。
【００７０】
続いて、第１可動体５０及び第２可動体６０を近接状態から離隔状態に遷移させる工程について、図８を参照しつつ説明する。図８は、図１のIIA−IIA線、IIB−IIB線及びIIC−IIC線に沿った断面図である。
【００７１】
先ず、図８（ａ）に示すように、基板１１０の上面に雌コネクタ２をハンダ接合する。このとき、スライダー１は雌コネクタ２の上部を覆うように配置され、ピン７が雌コンタクト２０の前壁部３１の突部と突出部４３との間に挿入されていない（半嵌合）。また、基板１１０の下面にはガイドコネクタ３が固定され、第１可動体５０及び第２可動体６０が近接状態にある。
【００７２】
近接状態では、第１可動体５０の下段５０Ｌの外側面と第２可動体６０の下段６０Ｌ外側面とがガイドコネクタ３の規制梁８４,８５に当接している。また、雌コネクタ２は、基板１１０より上方に位置する。押しピン５は、第１可動体５０の中段５０Ｍと第２可動体６０の中段６０Ｍの上方において、ガイドコネクタ３の前後方向の中心より前方にオフセットした位置に配置される（図５（ａ）参照）。
【００７３】
次に、コンタクト１２０を下方からガイドコネクタ３内に挿入する（図８（ｂ）参照）。コンタクト１２０は、ガイドコネクタ３のコンタクト挿入孔３Ａを通過し、基板１１０を貫通した後、雌コンタクト２０の後壁部３２の突部と直線部４２との間に挿入される。そして、コンタクト１２０が後壁部３２及び直線部４２の少なくとも一方に接触することにより、これらの電気的接続が達成される。
【００７４】
この状態から、スライダー１を押し下げると（完全嵌合）、押しピン５も下方へ移動することで第１可動体５０の中段５０Ｍと第２可動体６０の中段６０Ｍを押圧する（図５（ａ）参照）。これにより、２つの可動体５０,６０が押し下げられ、雌コネクタ２から遠ざかる。また、第１可動体５０の下段５０Ｌ及び第２可動体６０の下段６０Ｌが下方に移動することにより、下段５０Ｌ,６０Ｌの外側面が規制梁８４,８５に接しないようになる（図５（ｂ）参照）。これにより、第１可動体５０及び第２可動体６０の規制が解除される結果、バネ１４２が伸長し、第１可動体５０及び第２可動体６０が互いに離隔する方向に移動することでコンタクト１２０から遠ざかる（図８（ｃ）参照）。その後、第１可動体５０の中段５０Ｍ及び第２可動体６０の中段６０Ｍが規制梁８４,８５に接するとともに、第１可動体５０の上段５０Ｔ及び第２可動体６０の上段６０Ｔが蓋体９０に接することにより（図８（ｃ）参照）、第１可動体５０及び第２可動体６０の移動が規制される。
【００７５】
なお、図５,６,８では、第１可動体５０及び第２可動体６０の互いに対向する面が上下方向（基板と直交する方向に延在）に延在した状態で押しピン４,５を押し下げたときを示している。しかし、第１可動体５０及び第２可動体６０は、下段５０Ｌ,６０Ｌだけが規制梁８４,８５によって保持された不安定な状態であるため（図５（ａ）参照）、押しピン４,５を押し下げる前の段階、例えば、ガイドコネクタ３を基板１１０の下方へ搬送する過程で揺れ等が生じると、第１可動体５０や第２可動体６０が回転移動することがある。
【００７６】
押しピン４,５を押し下げる前に可動体５０,６０が回転しすぎた場合は、押しピン４,５で可動体５０,６０を十分に押圧することができない。また、回転量が大きすぎる場合、可動体５０,６０を押圧できないことがある。十分に押圧されなかった可動体は離隔状態に遷移しないためコンタクト１２０に近接している。そうすると、コンタクト１２０に接することで、コンタクト１２０を摩耗させたり、折損させたりする。
【００７７】
しかしながら、本実施形態では、第１可動体５０と第２可動体６０との間に常に規制リブ１８２,１８３が配置されているため（図６（ａ）参照）、第１可動体５０と第２可動体６０の回転移動を規制できる。
【００７８】
例えば、図９（ａ）に示すように、第１可動体５０は規制リブ１８２に摺動接触しながら回転移動するため、第１可動体５０の回転量が抑えられる。また、第２可動体６０についても、図９（ｂ）に示すように、規制リブ１８２に摺動接触しながら回転移動するため、回転量が抑えられる。このように、本実施形態では、規制リブ１８２,１８３が設けられていない場合よりも、第１可動体５０及び第２可動体６０の回転を抑制することができる。これにより、第１可動体５０及び第２可動体６０を押しピン４,５で十分に押圧できる。その結果、図８（ｃ）に示すように、第１可動体５０及び第２可動体６０を離隔状態に遷移させることができるため、２つの可動体５０,６０がコンタクト１２０から遠ざかる。
【００７９】
以上に述べたように、本実施形態のコネクタ１００によると以下の効果を奏する。コンタクト１２０と雌コンタクト２０とが電気的に接続された状態において、押しピン４,５で第１可動体５０及び第２可動体６０を押圧することにより、２つの可動体５０,６０をコンタクト１２０から遠ざけることができる。これにより、ハウジング７０、第１可動体５０及び第２可動体６０が振動し、また、基板１１０が振動することで共振が起こっても、コンタクト１２０に影響が及ばないようにできる。よって、コンタクト１２０の摩耗及び破損を防止できる。
【００８０】
また、第１可動体５０及び第２可動体６０の間に規制リブ１８２,１８３を配置し、近接状態から前記離隔状態に遷移する過程において、規制リブ１８２,１８３が２つの可動体５０,６０に常に挟まれた状態とすることにより、第１可動体５０や第２可動体６０が規制リブ１８２,１８３に接触しながら回転移動するため、回転量を少なくできる。これにより、押しピン４,５で押圧する前に第１可動体５０や第２可動体６０が位置ずれすることを抑止できる。よって、２つの可動体５０,６０を確実に押圧できるため、コンタクト１２０から２つの可動体５０,６０を確実に遠ざけることができる。
【００８１】
さらに、規制リブ１８２,１８３が上下方向（基板１１０と直交する方向）に延在しているとともに、規制リブ１８２,１８３に対向する対向面５４,６４も上下方向に延在している。これにより、第１可動体５０及び第２可動体６０の回転移動を確実に規制できる。
【００８２】
加えて、第１可動体５０及び第２可動体６０と規制リブ１８２,１８３とは、摺動可能であるとともに、近接状態においてこれらの間に隙間が設けられていない。そのため、近接状態では、第１可動体５０及び第２可動体６０と規制リブ１８２,１８３とが接触しているので、第１可動体５０及び第２可動体６０の回転移動を確実に規制できる。
【００８３】
また、ハウジング７０の箱体８０に規制リブ１８２,１８３を設けることにより、簡易な構成で、２つの可動体５０,６０の回転移動を規制できる。
【００８４】
また、本実施形態では、押しピン４,５の固定位置が、前後方向の中心から前方にオフセットしている。しかし、第１可動体５０及び第２可動体６０では、押しピン４,５が上方に配置される右端領域Ｒ1及び左端領域Ｌ1でも、上面の境界線が前後方向の中心から前方にオフセットしている。そのため、押しピン４,５で２つの可動体５０,６０を押圧できる。これにより、コンタクト１２０から２つの可動体５０,６０を遠ざけることができる。
【００８５】
さらに、右端領域Ｒ1及び左端領域Ｌ1では、バネ１４１,１４２が収容された下段５０Ｌ,６０Ｌの境界面が前後方向の中心に位置するため、バネ１４１,１４２が２つの可動体５０,６０に均等に保持される。したがって、バネ１４１,１４２が前後方向にバランスよく伸長するため、両方の可動体５０,６０をコンタクト１２０から遠ざけることができる。
【００８６】
〔第２実施形態〕
次に、本発明の第２実施形態について、図１０〜１９を参照しつつ説明する。第２実施形態において第１実施形態と異なる点は、ガイドコネクタの構成である。なお、上述した第１実施形態と同一の構成については同一の符号を用い、その説明を適宜省略する。また、図１４（ｂ）及び図１５（ｂ）では、押しピン４,５を省略している。
【００８７】
（ガイドコネクタ）
ガイドコネクタ２０３は、図１０,１１に示すように、第１可動体２５０（後方の可動体）及び第２可動体２６０（前方の可動体）と、これらを収容する略箱状のハウジング（第１ハウジング）２７０とを有している。ハウジング２７０の左右両端部には、補強タブ１３１,１３２が取り付けられる。第１可動体２５０、第２可動体２６０、ハウジング２７０及び補強タブ１３１,１３２は、絶縁性の樹脂で形成されている。また、２つの可動体２５０,２６０の間には、図１１に示すように、左右両端部にバネ（付勢部材）１４１,１４２が配置される。近接状態では、第１可動体２５０及び第２可動体２６０の対向面が接触している。第１可動体２５０及び第２可動体２６０の右端領域Ｒ2,左端領域Ｌ2の上方には押しピン４，５が配置される（図１３（ａ）参照）。
【００８８】
[第１可動体、第２可動体] 
<中央領域Ｃ2>
図１１に示すように、第１可動体２５０及び第２可動体２６０の中央領域Ｃ2は、上段、中段及び下段の３段状に形成されている。第１可動体２５０には、図１１に示すように、第２可動体２６０に対向する面に、５つの凹部２５０ａ,２５０ｂ,２５０ｃ,２５０ｄ,２５０ｅが左右方向に並んで形成されている。また、第２可動体２６０には、第１可動体２５０に対向する面に、５つの凹部２６０ａ,２６０ｂ,２６０ｃ,２６０ｄ,２６０ｅが左右方向に並んで形成されている。第１可動体２５０の凹部と第２可動体２６０の凹部は前後方向に対向する位置に形成されている（例えば、第１可動体２５０の凹部２５０ａと第２可動体２６０の凹部２６０ａ）。近接状態では、対向する２つの凹部（例えば、凹部２５０ａと凹部２６０ａ）により１つのコンタクト挿入孔（コンタクト挿入孔２０３Ａ）が形成される（図１０（ａ）参照）。そして、本実施形態では、第１可動体２５０及び第２可動体２６０の対向面が、５つのコンタクト挿入孔２０３Ａ,２０３Ｂ,２０３Ｃ,２０３Ｄ,２０３Ｅを画定している。
【００８９】
コンタクト挿入孔２０３Ａ,２０３Ｂ,２０３Ｃ,２０３Ｄ,２０３Ｅは、径が一定の上端領域２０３ｕと、その下方において上端領域２０３ｕに近づくにつれて径が小さくなったテーパ領域２０３ｔを有している（図１９（ａ）参照）。上端領域２０３ｕ及びテーパ領域２０３ｔの上端はコンタクト挿入孔２０３Ａの最小径であり、これはコンタクト１２０の径以上の大きさである。
【００９０】
また、第１可動体２５０には、図１２（ａ）に示すように、隣り合う２つの凹部の間に、第２可動体２６０に向かって突出した円柱状のボス部（突出部）２５０ｈ,２５０ｉ,２５０ｊ,２５０ｋが左右方向に並んで形成されている。４つのボス部のうち左右両端の２つのボス部２５０ｈ,２５０ｋは、中央の２つのボス部２５０ｉ,２５０ｊよりも長い。
【００９１】
また、第２可動体２６０には、隣り合う２つの凹部の間（例えば、凹部２６０ａと凹部２６０ｂとの間）に、前後方向に貫通した円筒状の孔（空間）２６０ｈ,２６０ｉ,２６０ｊ,２６０ｋが形成されている。孔２６０ｈ,２６０ｉ,２６０ｊ,２６０ｋは、第１可動体２５０のボス部２５０ｈ,２５０ｉ,２５０ｊ,２５０ｋに対応する位置に形成されている。
【００９２】
近接状態では、第１可動体２５０のボス部２５０ｈ,２５０ｉ,２５０ｊ,２５０ｋが、それぞれ第２可動体２６０の孔２６０ｈ,２６０ｉ,２６０ｊ,２６０ｋに挿入される。このとき、図１２（ｂ）に示すように、両端の２つのボス部２５０ｈ,２５０ｋが、第２可動体２６０を貫通し、第２可動体２６０から突出している（図１３（ａ）参照）。
【００９３】
この状態では、図１４（ａ）に示すように、孔２６０ｈを画定する環状面のうち上壁部（第１支持面）２６１ｕと下壁部（第２支持面）２６１ｌとによってボス部２５０ｈが上下方向に挟まれる。挟まれた部分では、ボス部２５０ｈと第２可動体２６０とが上下方向に重なり合っている。
【００９４】
ここで、第１可動体２５０が回転しようとすると、ボス部２５０ｈが下壁部２６１ｌに接することで回転が抑えられる。また、第２可動体２６０が回転しようとすると、上壁部２６１ｕがボス部２５０ｈに接することで回転が抑えられる。
【００９５】
また、近接状態から離隔状態に遷移するときは、図１３,１４に示すように、ボス部２５０ｈ,２５０ｉ,２５０ｊ,２５０ｋによって第１可動体２５０及び第２可動体を前後方向にガイドできる。
【００９６】
中央領域Ｃ2では、図１４（ａ）に示すように、近接状態において、第１可動体２５０と第２可動体２６０との境界面が、ボス部２５０ｈ及び孔２６０ｈを除いて、上端から下端まで、前後方向について略中心に位置している。なお、ボス部２５０ｈ,２５０ｉ,２５０ｊ,２５０ｋ及び孔２６０ｈ,２６０ｉ,２６０ｊ,２６０ｋが配置されている領域も同様に、ボス部及び孔を除いて、上端から下端まで、前後方向について略中心に位置している。
【００９７】
一方、離隔状態では、図１３（ｂ）及び図１４（ｂ）に示すように、全てのボス部２５０ｈ,２５０ｉ,２５０ｊ,２５０ｋが孔２６０ｈ,２６０ｉ,２６０ｊ,２６０ｋの外に配置され、第２可動体２６０と接触していない（図１５（ｂ）参照）。
【００９８】
<右端領域Ｒ2, 左端領域Ｌ2>
右端領域Ｒ2では、図１１に示すように、第１可動体２５０の中段２５０Ｍに、第２可動体２６０に向かって突出した突出部２５１が設けられている。一方、第２可動体２６０の中段２６０Ｍには、突出部２５１を収容可能な窪み２６１が形成されている。近接状態では、突出部２５１が窪み２６１に収容される。これにより、第１可動体２５０と第２可動体２６０との境界面は、図１５（ａ）に示すように、中段２５０Ｍ,２６０Ｍでは前後方向について中心より前方にオフセットするが、下段２５０Ｌ,２６０Ｌでは前後方向についての略中心に位置している。そして、第１可動体２５０の突出部２５１が、第２可動体２６０の下段２６０Ｌと上下方向に重なり合っている。重なり合った部分の上方には、押しピン４が配置されている。
【００９９】
下段２５０Ｌ,２６０Ｌにはバネ１４１が収容されており、下段２５０Ｌ,２６０Ｌは２つの可動体２５０,２６０の境界面とバネ１４１とが交差する領域となっている。バネ１４１は、第１可動体２５０の穴２５２及び第２可動体２６０の穴２６２に配置されている。穴２５２,２６２は、前後方向に互いに対向し、略同じ大きさである。そのため、近接状態では、バネ１４１の後方半分が穴２５２に配置され、バネ１４１の前方半分が穴２６２に配置される。したがって、バネ１４１は第１可動体２５０及び第２可動体２６０によって略同じ力で保持される。そのため、第１可動体２５０及び第２可動体２６０の規制が解除されると、図１５（ｂ）に示すように、バネ１４１は前方及び後方に均等に伸長する。
【０１００】
また、左端領域Ｌ2は、右端領域Ｒ2と略同じ構成となっている。左端領域Ｌ2でも、図１５（ａ）に示すように、近接状態において、第１可動体２５０と第２可動体２６０との境界面が、中段では前後方向について中心より前方にオフセットしているが、下段では前後方向について中心に位置している。そして、２つの可動体２５０,２６０が上下方向に部分的に重なり合っている。本実施形態では、重なり合った上方に押しピン５が固定されている（図１４参照）。
【０１０１】
図１３（ａ）に戻って、近接状態において、ガイドコネクタ２０３の上面では、第１可動体２５０と第２可動体２６０との境界線が、中央領域Ｃ2では前後方向の略中心に位置するが、右端領域Ｒ2及び左端領域Ｌ2では前後方向について中心より前方にオフセットしている。
【０１０２】
[ハウジング] 
ハウジング２７０は、図１１に示すように、底壁２７１と、右壁２７２と、左壁２７３と、上壁２７４とを有している。これらの内側には、第１可動体２５０及び第２可動体２６０を収容可能な収容空間Ｓが形成されている。また、ハウジング２７０の左右両端部には、収容空間Ｓに連通した孔２７０ａ,２７０ｂが形成されている。孔２７０ａ,２７０ｂは、近接状態における２つの可動体２５０,２６０を左右方向に同時に挿入可能な大きさに形成されている（図１７（ｂ）参照）。
【０１０３】
底壁２７１には、厚み方向（上下方向）に貫通した５つのガイド孔２７１ａ,２７１ｂ,２７１ｃ,２７１ｄ,２７１ｅが左右方向に並んで形成されている。ガイド孔２７１ａ,２７１ｂ,２７１ｃ,２７１ｄ,２７１ｅの上方には、それぞれ、コンタクト挿入孔２０３Ａ,２０３Ｂ,２０３Ｃ,２０３Ｄ,２０３Ｅが配置される（図１９参照）。
【０１０４】
また、ハウジング２７０の右壁２７２及び左壁２７３には、補強タブ１３１,１３２を挿入可能なスリット２７２ｓ,２７３ｓが形成されている。
【０１０５】
上壁２７４には、開口２７４ａが形成されている。開口２７４ａを前後方向に挟んだ上壁２７４の内壁面のうち、前方側の内壁面には４つの凹部２７５ａ,２７５ｂ,２７５ｃ,２７５ｄが左右方向に並んで形成されている。４つの凹部のうち中央の２つの凹部２７５ｂ,２７５ｃにはボス部２５０ｈ,２５０ｋが嵌まる（図１３（ａ）参照）。また、上壁２７４の内壁面のうち、後方側の内壁面には、図１１に示すように、２つの凹部２７５ｅ,２７５ｆが左右方向に並んで形成されている。
【０１０６】
また、上壁２７４の上面には、図１１に示すように、ボス部２７４ｂ,２７４ｃが設けられている。ボス部２７４ｂ,２７４ｃは、基板１１０の底面に形成された穴（図示省略）に嵌まる（図１４,１５参照）。
【０１０７】
近接状態では、図１５（ａ）及び図１６に示すように、第１可動体２５０の中段２５０Ｍ及び第２可動体２６０の中段２６０Ｍが上壁２７４の内周面（凹部２７５ａ,２７５ｂ,２７５ｃ,２７５ｄ,２７５ｅ,２７５ｆが形成されていない部分）に接触する。また、下段２５０Ｌ,２６０Ｌが、上壁２７４の底面から下方に突出した部分（図１５（ａ）及び図１６の突出部２７６ａ,２７６ｂ、図１０の突出部２７６ｃ,２７６ｄ）に接触している。突出部２７６ａ,２７６ｂ，２７６ｃ,２７６ｄは、それぞれ、上壁２７４の内周面に形成された凹部２７５ａ，２７５ｄ，２７５ｅ,２７５ｆを画定している（図１１参照）。
【０１０８】
一方、離隔状態では、図１５（ｂ）に示すように、第１可動体２５０の中段２５０Ｍ及び第２可動体２６０の中段２６０Ｍが上壁２７４の底面から下方に突出した部分（図１５（ｂ）に示す突出部２７６ａ,２７６ｂ及び図１０に示す突出部２７６ｃ,２７６ｄ）に接触する。これにより、第１可動体２５０及び第２可動体２６０が互いに離れる方向へ移動することを規制している。
【０１０９】
次に、ガイドコネクタ２０３を組み立てる方法について、図１７を参照しつつ説明する。
【０１１０】
先ず、図１７（ａ）に示すように、第１可動体２５０及び第２可動体２６０を、バネ１４１,１４２を挟みつつ（図示省略）近接させる。そして、この状態を維持しつつ２つの可動体２５０,２６０をハウジング２７０右端部の孔２７０ａからハウジング２７０内に収容する（図１７（ｂ）参照）。
【０１１１】
そして、第１可動体２５０及び第２可動体２６０を、近接状態を維持しつつ持ち上げる。第１可動体２５０の中段２５０Ｍ及び下段２５０Ｌと第２可動体２６０の中段２６０Ｍ及び下段２６０Ｌをハウジング２７０の上壁２７４の内周面に当接させる（図１６参照）。これにより、２つの可動体２５０,２６０が近接状態に維持される。その後、補強タブ１３１,１３２をハウジング２７０のスリット２７２ｓ,２７３ｓに挿入する（図１７（ｃ）,（ｄ）参照）。
【０１１２】
近接状態では、図１８（ａ）に示すように、補強タブ１３１に形成された貫通孔１３１ａの先に第１可動体２５０及び第２可動体２６０の境界周辺が配置され、その先にはバネ１４１が配置されている（図示省略）。貫通孔１３１ａからハウジング２７０内に異物が侵入しても、第１可動体２５０及び第２可動体２６０によりバネ１４１の隙間に異物が侵入することを抑止できる。
【０１１３】
近接状態から離隔状態に遷移すると、図１８（ｂ）に示すように、補強タブ１３１の貫通孔１３１ａからバネ１４１が視認可能となる。
【０１１４】
続いて、第１可動体２５０及び第２可動体２６０を近接状態から離隔状態に遷移させる工程について、図１９を参照しつつ説明する。図１９は、図１のIIA−IIA線及びIIB−IIB線と、図１０のX−X線に沿った断面図である。
【０１１５】
先ず、図１９（ａ）に示すように、基板１１０の上面に雌コネクタ２をハンダ接合する。このとき、スライダー１は雌コネクタ２の上部を覆うように配置され、ピン７が雌コンタクト２０の前壁部３１の突部と突出部４３との間に挿入されていない（半嵌合）。また、基板１１０の下面にはガイドコネクタ２０３が固定され、第１可動体２５０及び第２可動体２６０が近接状態にある。押しピン５は、第１可動体２５０の中段２５０Ｍの外側面と第２可動体２６０の中段２６０Ｍの上方において、ガイドコネクタ２０３の前後方向の中心より前方にオフセットした位置に配置されている（図１６参照）。
【０１１６】
次に、コンタクト１２０を下方からガイドコネクタ２０３内に挿入する（図１９（ｂ）参照）。コンタクト１２０は、ガイドコネクタ３のコンタクト挿入孔２０３Ａを通過し、基板１１０を貫通した後、雌コンタクト２０の後壁部３２の突部と直線部４２との間に挿入される。そして、コンタクト１２０が後壁部３２及び直線部４２の少なくとも一方に接触することにより、これらの電気的接続が達成される。
【０１１７】
この状態から、スライダー１を押し下げると（完全嵌合）、押しピン４も下方へ移動することで第１可動体２５０の中段２５０Ｍの外側面と第２可動体２６０の中段２６０Ｍを押圧する。これにより、２つの可動体２５０,２６０が押し下げられ、雌コネクタ２から遠ざかる。また、第１可動体２５０の中段２５０Ｍ及び下段２５０Ｌと第２可動体２６０の中段２６０Ｍ及び下段２６０Ｌが上壁２７４の内周面に接しないようになる。これにより、第１可動体２５０及び第２可動体２６０の規制が解除されることで、バネ１４２が伸長する。第１可動体２５０及び第２可動体２６０はバネ１４２の不勢力により互いに離隔する方向に移動し、コンタクト１２０から遠ざかる（図１９（ｃ）参照）。その後、第１可動体２５０の中段２５０Ｍ及び第２可動体２６０の中段２６０Ｍが上壁２７４の内周面（図１０に示す突出部２７６ｃ,２７６ｄ及び図１５に示す突出部２７６ａ,２７６ｂ）に接することで、第１可動体２５０及び第２可動体２６０の移動が規制される。
【０１１８】
また、スライダー１を押し下げることにより、図１９（ｃ）に示すように、ピン７が雌コンタクト２０の前壁部３１の突部と突出部４３との間に配置される。これにより、突出部４３がコンタクト１２０に向かって変位するため、雌コンタクト２０とコンタクト１２０との接触性を向上させることができる。
【０１１９】
以上から、本実施形態においても第１実施形態と同様に、コンタクト１２０と雌コンタクト２０とが電気的に接続された状態において、押しピン４,５で第１可動体２５０及び第２可動体２６０を押圧することにより、２つの可動体２５０,２６０をコンタクト１２０から遠ざけることができる。これにより、ハウジング２７０、第１可動体２５０及び第２可動体２６０が振動し、また、基板１１０が振動することで共振が起こっても、コンタクト１２０に影響が及ばないようにできる。よって、コンタクト１２０の摩耗及び破損を防止できる。
【０１２０】
また、押しピン４,５の固定位置が、前後方向の中心から前方にオフセットしているが、第１可動体２５０及び第２可動体２６０では、押しピン４,５が上方に配置される右端領域Ｒ2及び左端領域Ｌ2でも、上面の境界線が前後方向の中心から前方にオフセットしている。そのため、押しピン４,５で２つの可動体２５０,２６０を押圧できる。これにより、コンタクト１２０から２つの可動体２５０,２６０を遠ざけることができる。
【０１２１】
さらに、右端領域Ｒ2及び左端領域Ｌ2では、バネ１４１,１４２が収容された下段２５０Ｌ,２６０Ｌの境界面が前後方向の中心に位置するため、バネ１４１,１４２が２つの可動体２５０,２６０に均等に保持される。したがって、バネ１４１,１４２が前後方向にバランスよく伸長するため、両方の可動体２５０,２６０をコンタクト１２０から遠ざけることができる。
【０１２２】
また、第１可動体２５０のボス部２５０ｈ,２５０ｉ,２５０ｊ,２５０ｋが第２可動体２６０の孔２６０ｈ,２６０ｉ,２６０ｊ,２６０ｋを画定する上壁部及び下壁部（例えば、上壁部２６１ｕ及び下壁部２６１ｌ）で支持されることにより（図１４（ａ）参照）、第１可動体２５０及び第２可動体２６０の回転移動を規制できる。これにより、押しピン４,５で押圧する前に第１可動体２５０や第２可動体２６０が位置ずれすることを抑止できるため、２つの可動体２５０,２６０を確実に押圧できる。
【０１２３】
また、離隔状態では、ボス部２５０ｈ,２５０ｉ,２５０ｊ,２５０ｋが孔２６０ｈ,２６０ｉ,２６０ｊ,２６０ｋに配置されないため、２つの可動体２５０,２６０が互いに接しない（図１３（ｂ）参照）。そのため、一方の可動体から他方の可動体へ振動が伝わることを抑止できる。
【０１２４】
さらに、孔２６０ｈを画定する上壁部２６１ｕ及び下壁部２６１ｌによってボス部２５０ｈを支持するという簡易な構成で、２つの可動体２５０,２６０の回転移動を規制することができる。
【０１２５】
加えて、ボス部２５０ｈ,２５０ｋを長くすることにより、離隔状態に遷移する直前まで第１可動体２５０及び第２可動体２６０をガイドできる。これにより、２つの可動体２５０,２６０を正規な方向（前後方向）に離隔させることができる。
【０１２６】
以上、本発明の実施形態について図面に基づいて説明したが、具体的な構成は、これらの実施形態に限定されるものでないと考えられるべきである。本発明の範囲は上記した説明ではなくて特許請求の範囲によって示され、特許請求の範囲と均等の意味及び範囲内でのすべての変更が含まれる。
【０１２７】
例えば、スライダー１の構成、雌コネクタ２の構成及び押しピン４,５の構成（取り付けられる位置、形状等）は上述した実施形態に示すものに限られず、変更可能である。また、押しピン４,５は、スライダー１に取り付けられていなくてもよい。例えば、押圧部材は、長尺状の棒だけからなる部材でもよく、他の部材に取り付けられていてもよい。また、スライダー１を備えていない構成でもよい。
【０１２８】
さらに、上述した実施形態では、コンタクト１２０が雌コンタクト２０に電気的に接続された状態において、第１可動体５０,２５０及び第２可動体６０,２６０を近接状態から離隔状態へ遷移させたが（図８(ｃ)及び図１９(ｃ)参照）、離隔状態へ遷移させるタイミングは上記の場合に限られない。例えば、コンタクト１２０をガイドコネクタ３,２０３のコンタクト挿入孔３Ａ,２０２Ａへ挿入した後であれば、コンタクト１２０が雌コンタクト２０に電気的に接続されるのと同時に離隔状態へ遷移させてもよい。また、コンタクト１２０が雌コンタクト２０に電気的に接続される前でもよい。
【０１２９】
また、上述した実施形態では、押しピン（押圧部材）４,５が第１可動体５０,２５０及び第２可動体６０,２６０を押圧する場合について説明したが、いずれか一方の可動体だけを押圧してもよい。例えば、図２０（ａ）に示すように、押しピン４がガイドコネクタ３の前後方向の中心に配置され、第１可動体５０だけを押圧する構成でもよい。この場合、押しピン４は、第１可動体５０と第２可動体６０とが重なり合った部分の上方に配置される。重なり合った部分を押圧すると第２可動体６０が間接的に押圧されるため、２つの可動体５０,６０を離隔状態に遷移させることができる。
【０１３０】
また、上述の実施形態は、図５（ａ）及び図１５（ａ）に示すように、右端領域Ｒ1,Ｒ2及び左端領域Ｌ1,Ｌ2において、第１可動体５０,２５０と第２可動体６０,２６０とが部分的に重なり合っているが、２つの可動体が重なり合わなくてもよい。また、右端領域及び左端領域のいずれか一方において、２つの可動体が部分的に重なり合ってもよい。
【０１３１】
さらに、第１実施形態では、右端領域Ｒ1及び左端領域Ｌ1において、中段５０Ｍ,６０Ｍの境界面を前後方向の中心より前方にオフセットさせ（図５（ａ）参照）、第２実施形態では、右端領域Ｒ2及び左端領域Ｌ2において、中段２５０Ｍ,２６０Ｍの境界面を前後方向の中心より前方にオフセットさせたが（図１５（ａ）参照）、下段５０Ｌ,６０Ｌ,２５０Ｌ,２６０Ｌをオフセットさせてもよい。例えば、図２０（ｂ）に示すように、近接状態における第１可動体５５０と第２可動体５６０との境界面が、中段５５０Ｍ,５６０Ｍでは前後方向についての中心付近に位置し、下段５０Ｌ,６０Ｌでは前後方向について中心より前方にオフセットしてもよい。この場合、押しピンの固定位置をガイドコネクタ３の前後方向の中心付近とすると、第１可動体５５０と第２可動体５６０を押圧できる。また、押しピンの固定位置を、上述した実施形態のように、ガイドコネクタ３の前後方向の中心より前方にオフセットさせてもよい。その場合、第１可動体５５０だけが押圧されるが、２つの可動体５５０,５６０の重なり合った部分が押圧されることで、第２可動体５６０が間接的に押圧される。これにより、２つの可動体５５０,５６０を離隔状態に遷移させることができる。
【０１３２】
加えて、上述した実施形態では、ハウジング７０,１７０の左右両端部に補強タブ１３１,１３２を挿入したが、補強タブ１３１,１３２を挿入しなくてもよい。
【０１３３】
また、上述した実施形態では、ガイドコネクタ３,２０３の第１可動体５０,２５０及び第２可動体６０,２６０が同様な構成であるが、これらは異なる構成でもよい。
【０１３４】
さらに、上述した実施形態では付勢部材にバネ１４１,１４２を用いたが、付勢部材は上記に限られず、変更可能である。例えば、付勢部材にゴム等の弾性部材を用いてもよい。
【０１３５】
また、第１実施形態では、規制リブ１８２,１８３に関する構成を下記へ変更することができる。
【０１３６】
第１実施形態では、第１可動体５０と第２可動体６０との間に規制リブ１８２,１８３が配置される場合について説明したが、規制リブ１８２,１８３を有さない構成としてもよい。
【０１３７】
また、第１実施形態では、規制リブ１８２,１８３がハウジング７０に設けられている場合について説明したが、規制リブ１８２,１８３とハウジング７０とが別体でもよい。また、規制リブ１８２,１８３の形状、大きさ及び位置等は第１実施形態に示すものに限られず、変更可能である。例えば、第１実施形態では（図３,６参照）、規制リブ１８２が右壁８２の上端から下端まで上下方向に延在しているが、上下方向に延在していなくてもよく、右壁の上端部だけに設けられていてもよい。
【０１３８】
さらに、第１実施形態では、図６に示すように、第１可動体５０及び第２可動体６０の規制リブ１８２,１８３と対向する対向面５４,６４が上下方向に延在しているが、対向面５４,６４は規制リブ１８２,１８３に向かって凸となるように湾曲していてもよい。
【０１３９】
加えて、第１実施形態では、近接状態において、規制リブ１８２,１８３と、第１可動体５０及び第２可動体６０の対向面５４,６４との間に殆ど隙間が設けられていないが、これらの間に隙間が設けられてもよい。
【０１４０】
また、第１実施形態では、第１可動体５０及び第２可動体６０の底部にバネ１４１を視認可能な窓部１５３,１５４を設けたが、窓部はガイドハウジングの右側部や左側部に設けられてもよい。
【０１４１】
また、第２実施形態では、ボス部２５０ｈ,２５０ｉ,２５０ｊ,２５０ｋ及び孔２６０ｈ,２６０ｉ,２６０ｊ,２６０ｋに関する構成を下記へ変更することができる。
【０１４２】
第２実施形態では、図１１に示すように、第１可動体５０及び第２可動体６０の中央領域Ｃ2にボス部２５０ｈ,２５０ｉ,２５０ｊ,２５０ｋ及び孔２６０ｈ,２６０ｉ,２６０ｊ,２６０ｋを設けたが、右端領域Ｒ2や左端領域Ｌ2にボス部及び孔を設けてもよい。
【０１４３】
また、第２実施形態では、第１可動体２５０のボス部２５０ｈ,２５０ｉ,２５０ｊ,２５０ｋを第２可動体２６０の孔２６０ｈ,２６０ｉ,２６０ｊ,２６０ｋに挿入し、図１４（ａ）に示すように、孔を画定する内壁のうち上壁部（第１支持面）２６１ｕと下壁部（第２支持面）２６１ｌとによってボス部２５０ｈを支持したが、ボス部を支持する構成は上述した構成に限られない。例えば、第２可動体に、第１可動体に向かって突出した２つの突出部Ａ,Ｂが上下方向に対向するように設けられ、２つの突出部Ａ,Ｂの間に形成された空間に第１可動体のボス部を配置してもよい。突出部Ａ,Ｂによりボス部を上下方向から支持できるため、第１可動体及び第２可動体の回転を抑止できる。また、上記の場合、左右方向に対向する面（右面、左面等）を設けなくてもよい。
【０１４４】
さらに、第２実施形態では、離隔状態において（図１３(ｂ)参照）、第１可動体２５０のボス部２５０ｈ,２５０ｉ,２５０ｊ,２５０ｋが第２可動体２６０に接しないが、ボス部が第２可動体に接してもよい。
【０１４５】
加えて、第２実施形態では、第１可動体２５０にボス部２５０ｈ,２５０ｉ,２５０ｊ,２５０ｋを設け、第２可動体２６０に孔２６０ｈ,２６０ｉ,２６０ｊ,２６０ｋを設けたが、第１可動体に孔を設け、第２可動体にボス部を設けてもよい。
【０１４６】
また、第２実施形態では、ボス部２５０ｈ,２５０ｉ,２５０ｊ,２５０ｋが配置される空間として第２可動体２６０に孔２６０ｈ,２６０ｉ,２６０ｊ,２６０ｋを設けたが、ボス部の長さに応じて孔の代わりに凹部を設けてもよい。
【０１４７】
さらに、ボス部や孔の構成（位置、形状、長さ等）は、第２実施形態に示すもの限られず、変更可能である。
【符号の説明】
【０１４８】
１             スライダー
２             雌コネクタ（第２コネクタ）
３,２０３      ガイドコネクタ（第１コネクタ）
３Ａ,３Ｂ,３Ｃ,３Ｄ,３Ｅ,３０３Ａ,３０３Ｂ,３０３Ｃ,３０３Ｄ,３０３Ｅ  コンタクト挿入孔
４,５          押しピン（押圧部材）
１０           雌ハウジング（第２ハウジング）
２０           雌コンタクト（第２コンタクト）
５０,２５０    第１可動体
６０,２６０    第２可動体
７０,２７０    ハウジング（第１ハウジング）
１４１,１４２  バネ（付勢部材）
１００         コネクタ
１１０         基板
１１０ａ       挿入孔（コンタクト挿入孔）
１２０         コンタクト（第１コンタクト）
１３１,１３２  補強タブ
１８２,１８３  規制リブ
５４,６４      対向面
２５０ｈ,２５０ｉ,２５０ｊ,２５０ｋ   ボス部（突出部）
２６０ｈ,２６０ｉ,２６０ｊ,２６０ｋ   孔
２６１ｕ       上壁部（第１支持面）
２６１ｌ       下壁部（第２支持面）
【手続補正３】
【補正対象書類名】図面
【補正対象項目名】全図
【補正方法】変更
【補正の内容】
【図１】
2014207147.tif 000023
【図２】
2014207147.tif 000024
【図３】
2014207147.tif 000025
【図４】
2014207147.tif 000026
【図５】
2014207147.tif 000027
【図６】
2014207147.tif 000028
【図７】
2014207147.tif 000029
【図８】
2014207147.tif 000030
【図９】
2014207147.tif 000031
【図１０】
2014207147.tif 000032
【図１１】
2014207147.tif 000033
【図１２】
2014207147.tif 000034
【図１３】
2014207147.tif 000035
【図１４】
2014207147.tif 000036
【図１５】
2014207147.tif 000037
【図１６】
2014207147.tif 000038
【図１７】
2014207147.tif 000039
【図１８】
2014207147.tif 000040
【図１９】
2014207147.tif 000041
【図２０】
2014207147.tif 000042